(57)【要約】【課題】幅広い周波数帯域で高い送受信感度を有するアンテナを提供する。【解決手段】本発明のアンテナ１は、同軸ケーブル４と、アンテナエレメント３ａ及び３ｂと、不平衡‐平衡変換器２とを備え、不平衡‐平衡変換器２は、ｐｏｒｔ１とｐｏｒｔ２との間にハイパス回路１１を備えていると共に、ｐｏｒｔ１とｐｏｒｔ２との間にローパス回路１２を備えている。そして、ハイパス回路は、ＶＨＦ帯が阻止帯域であり、ハイパス回路１１及びローパス回路１２は共にＵＨＦ帯が通過帯域であり、ｐｏｒｔに対するＵＨＦ帯の信号入力に対して、ハイパス回路１１及びローパス回路１２から出力される信号の位相が逆位相で、かつ振幅は同等である。したがって、アンテナ１は、ＶＨＦ帯及びＵＨＦ帯の幅広い周波数帯域で高い送受信感度を有する。【選択図】図１
2008199323.tif 000002
【特許請求の範囲】
【請求項１】
不平衡型の給電線路と、第１及び第２アンテナエレメントと、入力ポートと第１及び第２出力ポートとを備えた不平衡‐平衡変換器とを備え、第１及び第２周波数帯域の電波を送信または受信するアンテナであって、
上記入力ポートには上記不平衡型の給電線路が接続されていると共に、第１及び第２出力ポートには第１及び第２アンテナエレメントがそれぞれ接続されており、
上記不平衡‐平衡変換器は、入力ポートと第１出力ポートとの間に第１フィルタ回路を備えていると共に、入力ポートと第２出力ポートとの間に第２フィルタ回路を備えており、
上記第１フィルタ回路は、上記第１周波数帯域を阻止帯域とするフィルタ回路であり、
上記第１及び第２フィルタ回路は、共に上記第２周波数帯域を通過帯域とするフィルタ回路であり、
上記入力ポートに対する第２周波数帯域の信号入力に対して、上記第１及び第２フィルタ回路から出力される信号が逆位相で、かつ振幅が同等であることを特徴とするアンテナ。
【請求項２】
上記不平衡型の給電線路及び上記第２アンテナエレメントの実効長は上記第１周波数帯域における最低周波数の１／４波長から最高周波数の１／４波長の範囲内に含まれることを特徴とする請求項１に記載のアンテナ。
【請求項３】
上記第１アンテナエレメント及び第２アンテナエレメントの実効長は上記第２周波数帯域における最低周波数の１／４波長から最高周波数の１／４波長の範囲内に含まれることを特徴とする請求項１または２に記載のアンテナ。
【請求項４】
上記不平衡型の給電線路及び上記第２アンテナエレメントの一方の実効長は上記第１周波数帯域における最低周波数の１／４波長であり、他方の実効長は上記第１周波数帯域における最高周波数の１／４波長であることを特徴とする請求項１ないし３の何れか１項に記載のアンテナ。
【請求項５】
上記第１アンテナエレメント及び第２アンテナエレメントの一方の実効長は上記第２周波数帯域における最高周波数の１／４波長であり、他方の実効長は上記第２周波数帯域における最低周波数の１／４波長であることを特徴とする請求項１ないし３の何れか１項に記載のアンテナ。
【請求項６】
第１イヤホンに音声信号を供給する第１イヤホンケーブルと、第２イヤホンに音声信号を供給する第２イヤホンケーブルと、上記第１及び第２イヤホンケーブルにアンテナ入力信号及び音声信号を供給する給電ケーブルとを備え、第１及び第２周波数帯域の電波を送信または受信するイヤホンアンテナであって、
入力ポートと第１及び第２出力ポートとを備え、入力ポートと第１出力ポートとの間に第１フィルタ回路を備えていると共に、入力ポートと第２出力ポートとの間に第２フィルタ回路を備えており、上記第１フィルタ回路は、上記第１周波数帯域を阻止帯域とするフィルタ回路であり、上記第１及び第２フィルタ回路は、共に上記第２周波数帯域を通過帯域とするフィルタ回路であり、上記入力ポートに対する第２周波数帯域の信号入力に対して、上記第１及び第２フィルタ回路から出力される信号の位相が逆位相で、かつ振幅が同等となる不平衡‐平衡変換器を備え、
上記入力ポートには、上記給電ケーブルが接続しており、
上記第１出力ポートには、第１イヤホンケーブルが接続しており、
上記第２出力ポートには、第２イヤホンケーブルが接続していることを特徴とするイヤホンアンテナ。
【請求項７】
上記第１イヤホンケーブルは、第１イヤホンに音声信号を供給するための正負２本の信号線を備えていると共に、上記第２イヤホンケーブルは、第２イヤホンに音声信号を供給するための正負２本の信号線を備え、
第１イヤホンケーブルが備える正負２本の信号線を、高周波信号を通過させ、音声信号を通過させない第１コンデンサで接続すると共に、第２イヤホンケーブルが備える正負２本の信号線を、高周波信号を通過させ、音声信号を通過させない第２コンデンサで接続したことを特徴とする請求項６に記載のイヤホンアンテナ。
【請求項８】
上記第１及び第２イヤホンケーブルは、同軸ケーブルで構成されていることを特徴とする請求項６または７に記載のイヤホンアンテナ。
【請求項９】
上記給電ケーブルには、第１イヤホンケーブルに音声信号を供給するための正負２本の信号線と、第２イヤホンケーブルに音声信号を供給するための正負２本の信号線とが含まれており、
第１イヤホンケーブルに音声信号を供給するための正負２本の信号線を、高周波信号を通過させ、音声信号を通過させない第３コンデンサで接続すると共に、第２イヤホンケーブルに音声信号を供給するための正負２本の信号線を、高周波信号を通過させ、音声信号を通過させない第４コンデンサで接続していることを特徴とする請求項６ないし８の何れか１項に記載のイヤホンアンテナ。
【請求項１０】
上記第１周波数帯域は、略８８ＭＨｚ〜２２２ＭＨｚの周波数帯域であり、上記第２周波数帯域は、略４７０ＭＨｚ〜７１０ＭＨｚの周波数帯域であることを特徴とする請求項６ないし９の何れか１項に記載のイヤホンアンテナ。
【請求項１１】
請求項６ないし１０の何れか１項に記載のイヤホンアンテナを備える放送受信装置。
【発明の詳細な説明】
【技術分野】
【０００１】
本発明は、電波を送受信するアンテナに関するものである。
【背景技術】
【０００２】
従来、テレビジョン放送においては、アナログ放送ではＶＨＦ帯（８８ＭＨｚ〜２２２ＭＨｚ）を用いて放送しているが、アナログ放送からデジタル放送への移行に伴い、テレビジョン放送における使用帯域が大きく変わることとなった。
【０００３】
すなわち、地上デジタル放送は、ＵＨＦ帯（４７０ＭＨｚ〜７１０ＭＨｚ）を用いて放送されることとなり、アナログ放送が終了した後のＶＨＦ帯（８８ＭＨｚ〜２２２ＭＨｚ）では新たな放送サービスが開始される。
【０００４】
一方、携帯電話等の小型で携帯型の端末にて、デジタルラジオやデジタルテレビジョン等のデジタル放送を受信可能なものが作成され、広まりつつある。また、１ｓｅｇ（ワンセグ）等の携帯型端末向けの放送コンテンツも充実する方向にあり、携帯型端末では、ＦＭラジオ（７５ＭＨｚ及びその付近の帯域）や、ＶＨＦ、ＵＨＦ等の幅広い帯域全てに対応することが望まれている。
【０００５】
従来の携帯型端末では、このような種々の放送を受信するために用いるアンテナとして、イヤホンとアンテナとを共用化したイヤホンアンテナが一般的に使用されている。イヤホンアンテナは、音声を出力するイヤホンとしての機能と、放送波を受信するアンテナとしての機能とを備えている。
【０００６】
一般的なイヤホンアンテナは、互いに絶縁された中心導体と外導体とから成る同軸ケーブルに、放射素子を兼ねる音声伝達配線であるイヤホンケーブルを接続して成る。また、一般的に、同軸ケーブル及びイヤホンケーブルの長さは、ＦＭ・ＶＨＦ帯のλ／４共振寸法である。
【０００７】
そして、上記同軸ケーブル及びイヤホンケーブルに不平衡給電することにより、同軸ケーブルの外導体とイヤホンケーブルとがＦＭ・ＶＨＦ帯の受信に適したスリーブアンテナとして動作する。
【０００８】
しかしながら、イヤホンケーブル及び同軸ケーブルをＶＨＦ帯のλ／４共振寸法とした場合に、ＵＨＦ帯の放送波を受信するときには、イヤホンケーブル及び同軸ケーブルがＵＨＦ帯の放送波の共振実効長に対して長すぎることになる。したがって、従来のイヤホンアンテナでは、地上デジタル放送等に使用されるＵＨＦ帯の電波の受信感度が低かった。
【０００９】
そこで、下記の特許文献１では、イヤホンアンテナが有する２つのイヤホンケーブルのうち、一方のイヤホンケーブルの長さをＵＨＦ帯の電波のλ／４共振寸法としてＵＨＦ帯の受信感度を高めている。
【特許文献１】特開２００５‐６４７４２号公報（２００５年３月１０日公開）
【発明の開示】
【発明が解決しようとする課題】
【００１０】
しかしながら、一方のイヤホンケーブルの長さをＵＨＦ帯の電波のλ／４共振寸法とした場合においても、やはり十分な受信感度を得ることは困難である。
【００１１】
これは、一般的な同軸ケーブルの外導体は、イヤホンケーブルと比較して広い表面積を有するので、同軸ケーブルの外導体に励振される漏洩電流（不平衡電流）が、イヤホンケーブルに流れる電流に対して支配的となることによる。
【００１２】
すなわち、ＵＨＦ帯の電波のλ／４共振寸法としたイヤホンケーブルを流れる電流の影響よりも、ＶＨＦ帯の電波のλ／４共振寸法とした同軸ケーブルの外導体を流れる電流の影響よりも大きくなる。
【００１３】
したがって、一方のイヤホンケーブルの長さをＵＨＦ帯の電波のλ／４共振寸法とした場合においても、同軸ケーブルの外導体を流れる電流の影響によりその効果が打ち消されるので、放送の受信に十分な感度を得ることが難しい。
【００１４】
一方、ＵＨＦ帯の受信感度を高めるために、イヤホンケーブル及び同軸ケーブルの全ての長さをＵＨＦ帯のλ／４共振寸法とした場合、同軸ケーブルの外導体とイヤホンケーブルとがＵＨＦ帯の受信に適したスリーブアンテナとして動作するので、ＵＨＦ帯の受信感度を高めることができる。
【００１５】
しかしながら、ＦＭ・ＶＨＦ帯では、イヤホンケーブルの長さがＦＭ・ＶＨＦ帯のλ／４共振波長に対して、１／２０波長程度まで短くなるので、ＦＭ、ＶＨＦ帯の受信性能が著しく劣化してしまう。
【００１６】
このように、従来は、ＶＨＦ帯及びＵＨＦ帯の両方の周波数帯域において感度の良いアンテナを実現できないという課題があった。
【００１７】
本発明は、上述の課題に鑑みてなされたものであり、幅広い周波数帯域で高い受信感度を有するアンテナ、イヤホンアンテナ、及び該イヤホンアンテナを備える携帯型端末を提供することにある。
【課題を解決するための手段】
【００１８】
本発明のアンテナは、上記課題を解決するために、不平衡型の給電線路と、第１及び第２アンテナエレメントと、入力ポートと第１及び第２出力ポートとを備えた不平衡‐平衡変換器とを備え、第１及び第２周波数帯域の電波を送信または受信するアンテナであって、上記入力ポートには上記不平衡型の給電線路が接続されていると共に、第１及び第２出力ポートには第１及び第２アンテナエレメントがそれぞれ接続されており、上記不平衡‐平衡変換器は、入力ポートと第１出力ポートとの間に第１フィルタ回路を備えていると共に、入力ポートと第２出力ポートとの間に第２フィルタ回路を備えており、上記第１フィルタ回路は、上記第１周波数帯域を阻止帯域とするフィルタ回路であり、上記第１及び第２フィルタ回路は、共に上記第２周波数帯域を通過帯域とするフィルタ回路であり、上記入力ポートに対する第２周波数帯域の信号入力に対して、上記第１及び第２フィルタ回路から出力される信号の位相が逆位相で、かつ振幅が同等であることを特徴としている。
【００１９】
上記の構成によれば、不平衡型の給電線路から供給されるアンテナ入力信号は、不平衡‐平衡変換器の入力ポートに伝達される。
【００２０】
ここで、アンテナ入力信号が第１周波数帯域に含まれる周波数を持つ信号であった場合、上記第１フィルタ回路は、上記第１周波数帯域が阻止帯域であるから、このアンテナ入力信号は第２出力ポートのみから出力される。
【００２１】
したがって、第２出力ポートに接続している第２アンテナエレメントと、不平衡型の給電線路とが不平衡給電されることになり、その結果、第２アンテナエレメントと不平衡型の給電線路とがスリーブアンテナとして動作する。
【００２２】
すなわち、本発明のアンテナでは、第１周波数帯域の電波を送受信する場合、第２アンテナエレメントと不平衡型の給電線路とがスリーブアンテナとして動作するので第１周波数帯域の電波を効率よく送受信することができる。
【００２３】
一方、アンテナ入力信号が第２周波数帯域に含まれる周波数を持つ信号であった場合、上記第１及び第２フィルタ回路は、共に第２周波数帯域が通過帯域であるから、このアンテナ入力信号は第１及び第２出力ポートの両方から出力される。
【００２４】
そして、第１出力ポートから出力されたアンテナ入力信号は、第１及び第２アンテナエレメントの両方に流れる。
【００２５】
ここで、上記不平衡‐平衡変換器の第１及び第２フィルタ回路から出力される信号の位相が逆位相で、かつ振幅が同等である。すなわち、アンテナ入力信号が第２周波数帯域に含まれる周波数を持つ信号であった場合、第１及び第２アンテナエレメントは平衡給電されることになる。
【００２６】
したがって、第１アンテナエレメントを流れる電流と第２アンテナエレメントを流れる電流との間に共振が起こり、その結果、第１アンテナエレメントと第２アンテナエレメントとがダイポールアンテナとして動作する。
【００２７】
すなわち、本発明のアンテナでは、第２周波数帯域の電波を送受信する場合、第１及び第２アンテナエレメントがダイポールアンテナとして動作するので第２周波数帯域の電波を効率よく送受信することができる。
【００２８】
このように、本発明のアンテナでは、第１周波数帯域の電波送受信時にはスリーブアンテナとして動作し、第２周波数帯域の電波送受信時にはダイポールアンテナとして動作するので、第１周波数帯域と第２周波数帯域との両方の帯域で高い送受信感度を有する。
【００２９】
また、上記不平衡型の給電線路及び上記第２アンテナエレメントの実効長は上記第１周波数帯域における最低周波数の１／４波長から最高周波数の１／４波長の範囲内に含まれることが好ましい。
【００３０】
上述のように、不平衡型の給電線路及び上記第２アンテナエレメントは、第１周波数帯域の電波送受信時にはスリーブアンテナとして動作する。
【００３１】
したがって、上記不平衡型の給電線路及び上記第２アンテナエレメントの実効長が第１周波数帯域における最低周波数の１／４波長から最高周波数の１／４波長の範囲内に含まれるように設定することで、第１周波数帯域の電波を効率よく送受信することができる。
【００３２】
また、上記第１アンテナエレメント及び第２アンテナエレメントの実効長は上記第２周波数帯域における最低周波数の１／４波長から最高周波数の１／４波長の範囲内に含まれることが好ましい。
【００３３】
上述のように、第１及び第２アンテナエレメントは、第２周波数帯域の電波送受信時にはダイポールアンテナとして動作する。
【００３４】
したがって、上記第１及び第２アンテナエレメントの実効長が第２周波数帯域における最低周波数の１／４波長から最高周波数の１／４波長の範囲内に含まれるように設定することで、第２周波数帯域の電波を効率よく送受信することができる。
【００３５】
また、上記不平衡型の給電線路及び上記第２アンテナエレメントの一方の実効長は上記第１周波数帯域における最低周波数の１／４波長であり、他方の実効長は上記第１周波数帯域における最高周波数の１／４波長であることが好ましい。
【００３６】
上記の構成によれば、不平衡型の給電線路と第２アンテナエレメントとで、第１周波数帯域の最低周波数から最高周波数までの全ての帯域の電波を効率よく送受信することができる。
【００３７】
上記第１アンテナエレメント及び第２アンテナエレメントの一方の実効長は上記第２周波数帯域における最高周波数の１／４波長であり、他方の実効長は上記第２周波数帯域における最低周波数の１／４波長であることが好ましい。
【００３８】
上記の構成によれば、第１アンテナエレメントと第２アンテナエレメントとで、第２周波数帯域の最低周波数から最高周波数までの全ての帯域の電波を効率よく送受信することができる。
【００３９】
また、本発明のイヤホンアンテナは、上記課題を解決するために、第１イヤホンに音声信号を供給する第１イヤホンケーブルと、第２イヤホンに音声信号を供給する第２イヤホンケーブルと、上記第１及び第２イヤホンケーブルにアンテナ入力信号及び音声信号を供給する給電ケーブルとを備え、第１及び第２周波数帯域の電波を送信または受信するイヤホンアンテナであって、入力ポートと第１及び第２出力ポートとを備え、入力ポートと第１出力ポートとの間に第１フィルタ回路を備えていると共に、入力ポートと第２出力ポートとの間に第２フィルタ回路を備えており、上記第１フィルタ回路は、上記第１周波数帯域を阻止帯域とするフィルタ回路であり、上記第１及び第２フィルタ回路は、共に上記第２周波数帯域を通過帯域とするフィルタ回路であり、上記入力ポートに対する第２周波数帯域の信号入力に対して、上記第１及び第２フィルタ回路から出力される信号の位相が逆位相で、かつ振幅が同等となる不平衡‐平衡変換器を備え、上記入力ポートには、上記給電ケーブルが接続しており、上記第１出力ポートには、第１イヤホンケーブルが接続しており、上記第２出力ポートには、第２イヤホンケーブルが接続していることを特徴としている。
【００４０】
上記の構成によれば、給電ケーブルから供給されるアンテナ入力信号は、不平衡‐平衡変換器の入力ポートに伝達される。
【００４１】
ここで、アンテナ入力信号が第１周波数帯域に含まれる周波数を持つ信号であった場合、上記第１フィルタ回路は、上記第１周波数帯域が阻止帯域であるから、このアンテナ入力信号は第２出力ポートのみから出力される。
【００４２】
したがって、第２出力ポートに接続している第２イヤホンケーブルと、給電ケーブルとが不平衡給電されることになり、その結果、第２イヤホンケーブルと給電ケーブルとがスリーブアンテナとして動作する。
【００４３】
すなわち、本発明のアンテナでは、第１周波数帯域の電波を送受信する場合、第２イヤホンケーブルと給電ケーブルとがスリーブアンテナとして動作するので第１周波数帯域の電波を効率よく送受信することができる。
【００４４】
一方、アンテナ入力信号が第２周波数帯域に含まれる周波数を持つ信号であった場合、上記第１及び第２フィルタ回路は、共に第２周波数帯域が通過帯域であるから、このアンテナ入力信号は第１及び第２出力ポートの両方から出力される。
【００４５】
そして、第１出力ポートから出力されたアンテナ入力信号は、第１及び第２イヤホンケーブルの両方に流れる。
【００４６】
ここで、上記不平衡‐平衡変換器の第１及び第２フィルタ回路から出力される信号の位相が逆位相で、かつ振幅が同等である。すなわち、アンテナ入力信号が第２周波数帯域に含まれる周波数を持つ信号であった場合、第１及び第２イヤホンケーブルは平衡給電されることになる。
【００４７】
したがって、第１イヤホンケーブルを流れる電流と第２イヤホンケーブルを流れる電流との間に共振が起こり、その結果、第１イヤホンケーブルと第２イヤホンケーブルとがダイポールアンテナとして動作する。
【００４８】
すなわち、本発明のイヤホンアンテナでは、第２周波数帯域の電波を送受信する場合、第１及び第２イヤホンケーブルがダイポールアンテナとして動作するので第２周波数帯域の電波を効率よく送受信することができる。
【００４９】
このように、本発明のイヤホンアンテナでは、第１周波数帯域の電波送受信時にはスリーブアンテナとして動作し、第２周波数帯域の電波送受信時にはダイポールアンテナとして動作するので、第１周波数帯域と第２周波数帯域との両方の帯域で高い送受信感度を有する。
【００５０】
また、上記第１イヤホンケーブルは、第１イヤホンに音声信号を供給するための正負２本の信号線を備えていると共に、上記第２イヤホンケーブルは、第２イヤホンに音声信号を供給するための正負２本の信号線を備え、第１イヤホンケーブルが備える正負２本の信号線を、高周波信号を通過させ、音声信号を通過させない第１コンデンサで接続すると共に、第２イヤホンケーブルが備える正負２本の信号線を、高周波信号を通過させ、音声信号を通過させない第２コンデンサで接続することが好ましい。
【００５１】
上記の構成によれば、音声信号は上記第１及び第２コンデンサを通過できないので、第１または第２イヤホンケーブルに伝達される正の音声信号は正の信号線に、負の音声信号は負の信号線に伝達される。
【００５２】
また、高周波信号は上記第１及び第２コンデンサを通過するので、第１または第２イヤホンケーブルに伝達される高周波信号は、正負の信号線の両方に伝達される。
【００５３】
したがって、音声信号を供給するための、正負２本の信号線の両方がスリーブアンテナまたはダイポールアンテナとして動作するので、より高感度なイヤホンアンテナを実現できる。
【００５４】
また、上記第１及び第２イヤホンケーブルは、同軸ケーブルで構成されていることが好ましい。
【００５５】
同軸ケーブルの外導体の導電面積は通常のケーブルよりも大きいので、第１及び第２イヤホンケーブルを同軸ケーブルで構成した場合、第１及び第２イヤホンケーブルを流れる高周波電流の電流密度が低下する。
【００５６】
したがって、上記の構成によれば、第１及び第２イヤホンケーブルにおける導体損失を軽減でき、これにより放射効率も改善されるので、イヤホンアンテナの送受信感度を高めることができる。
【００５７】
また、上記給電ケーブルには、第１イヤホンケーブルに音声信号を供給するための正負２本の信号線と、第２イヤホンケーブルに音声信号を供給するための正負２本の信号線とが含まれており、第１イヤホンケーブルに音声信号を供給するための正負２本の信号線を、高周波信号を通過させ、音声信号を通過させない第３コンデンサで接続すると共に、第２イヤホンケーブルに音声信号を供給するための正負２本の信号線を、高周波信号を通過させ、音声信号を通過させない第４コンデンサで接続していることが好ましい。
【００５８】
上記の構成によれば、音声信号は上記第３及び第４コンデンサを通過できないので、給電ケーブルに伝達される音声信号のうち、第１イヤホンケーブルに供給する正の音声信号は正の信号線に、負の音声信号は負の信号線に伝達される。同様に、第２イヤホンケーブルに供給する正の音声信号は正の信号線に、負の音声信号は負の信号線に伝達される。
【００５９】
したがって、上記の構成によれば、差動音声信号に対応することができ、差動音声信号で伝送される高品質な音声信号を音声出力することができる。
【００６０】
また、高周波信号は上記第３及び第４コンデンサを通過するので、給電ケーブルに伝達される高周波信号は、第１イヤホンケーブルに音声信号を供給するための正負２本の信号線と、第２イヤホンケーブルに音声信号を供給するための正負２本の信号線とに伝達される。
【００６１】
したがって、第１イヤホンケーブルに音声信号を供給するための正負２本の信号線と、第２イヤホンケーブルに音声信号を供給するための正負２本の信号線とがスリーブアンテナとして動作するので、第１周波数帯域においてさらに送受信感度を高めることができる。
【００６２】
また、上記第１周波数帯域は、略８８ＭＨｚ〜２２２ＭＨｚの周波数帯域であり、上記第２周波数帯域は、略４７０ＭＨｚ〜７１０ＭＨｚの周波数帯域であることが好ましい。
【００６３】
上記の構成によれば、主要な放送帯域であるＶＨＦ帯（８８ＭＨｚ〜２２２ＭＨｚ）及びＵＨＦ帯（４７０ＭＨｚ〜７１０ＭＨｚ）の両方の電波を高い感度で送受信することができる。
【００６４】
また、第１イヤホンケーブルと第２イヤホンケーブルとは、ダイポールアンテナとして動作するが、第１及び第２イヤホンをイヤホンアンテナのユーザが装着したときには、ユーザの首付近に地面と水平な方向に広がりを持つダイポールアンテナが形成される。
【００６５】
これにより、地上デジタル放送等のＵＨＦ帯の水平偏波を効率よく受信することができる。また、ユーザがイヤホンアンテナを装着したときに、ユーザの胴体付近に形成されるスリーブアンテナと比較して、地面からより高い位置で受信することができるので、より高い利得を得ることができる。
【００６６】
また、上記イヤホンアンテナを備える放送受信装置であれば、幅広い周波数帯域の放送波を高感度に受信することができる。
【発明の効果】
【００６７】
本発明のアンテナは、以上のように、不平衡型の給電線路と、第１及び第２アンテナエレメントと、入力ポートと第１及び第２出力ポートとを備えた不平衡‐平衡変換器とを備え、第１及び第２周波数帯域の電波を送信または受信するアンテナであって、上記入力ポートには上記不平衡型の給電線路が接続されていると共に、第１及び第２出力ポートには第１及び第２アンテナエレメントがそれぞれ接続されており、上記不平衡‐平衡変換器は、入力ポートと第１出力ポートとの間に第１フィルタ回路を備えていると共に、入力ポートと第２出力ポートとの間に第２フィルタ回路を備えており、上記第１フィルタ回路は、上記第１周波数帯域を阻止帯域とするフィルタ回路であり、上記第１及び第２フィルタ回路は、共に上記第２周波数帯域を通過帯域とするフィルタ回路であり、上記入力ポートに対する第２周波数帯域の信号入力に対して、上記第１及び第２フィルタ回路から出力される信号の位相が逆位相で、かつ振幅は同等であるから、幅広い周波数帯域で高い送受信感度を有するという効果を奏する。
【００６８】
また、本発明のイヤホンアンテナは、以上のように、第１イヤホンに音声信号を供給する第１イヤホンケーブルと、第２イヤホンに音声信号を供給する第２イヤホンケーブルと、上記第１及び第２イヤホンケーブルにアンテナ入力信号及び音声信号を供給する給電ケーブルとを備え、第１及び第２周波数帯域の電波を送信または受信するイヤホンアンテナであって、入力ポートと第１及び第２出力ポートとを備え、入力ポートと第１出力ポートとの間に第１フィルタ回路を備えていると共に、入力ポートと第２出力ポートとの間に第２フィルタ回路を備えており、上記第１フィルタ回路は、上記第１周波数帯域を阻止帯域とするフィルタ回路であり、上記第１及び第２フィルタ回路は、共に上記第２周波数帯域を通過帯域とするフィルタ回路であり、上記入力ポートに対する第２周波数帯域の信号入力に対して、上記第１及び第２フィルタ回路から出力される信号の位相が逆位相で、かつ振幅が同等となる不平衡‐平衡変換器を備え、上記入力ポートには、上記給電ケーブルが接続しており、上記第１出力ポートには、第１イヤホンケーブルが接続しており、上記第２出力ポートには、第２イヤホンケーブルが接続している構成であるから、幅広い周波数帯域で高い送受信感度を有するという効果を奏する。
【発明を実施するための最良の形態】
【００６９】
〔実施の形態１〕
本発明の一実施形態について図１ないし図６に基づいて説明すると以下の通りである。
【００７０】
（アンテナの概要）
図１は、本実施形態のアンテナ１の概略構成を示す図である。図示のように、アンテナ１は、不平衡‐平衡変換器２に、アンテナエレメント（第１アンテナエレメント）３ａと、アンテナエレメント（第２アンテナエレメント）３ｂと、同軸ケーブル（不平衡型の給電線路）４とを接続して構成されている。
【００７１】
不平衡‐平衡変換器２は、入力端子に不平衡電流の入力を受け付け、複数の出力端子のそれぞれから互いに平衡な電流を出力するものである。不平衡‐平衡変換器２は、入力端子ｐｏｒｔ１（入力ポート）、出力端子ｐｏｒｔ２（第１出力ポート）、及び出力端子ｐｏｒｔ３（第２出力ポート）を備えている。
【００７２】
すなわち、不平衡‐平衡変換器２では、ｐｏｒｔ１に不平衡給電されたときに、ｐｏｒｔ２及びｐｏｒｔ３から出力される電流は互いに平衡（振幅が同等で位相が逆位相）となる。不平衡‐平衡変換器２の詳細については後述する。
【００７３】
なお、逆位相とは、位相差が略１８０°である場合を指し、本明細書では、位相差が略１８０°である場合は、位相差が１８０°であるか、もしくはその近辺である場合を指す。また、振幅が同等とは、振幅が全く等しいか、振幅の差が少ない場合を指す。
【００７４】
アンテナエレメント３ａ及び３ｂは、導電体で構成されている。図１では、アンテナエレメント３ａ及び３ｂの長さは、それぞれＬ１及びＬ２である。アンテナエレメント３ａは不平衡‐平衡変換器２のｐｏｒｔ２に接続しており、アンテナエレメント３ｂは不平衡‐平衡変換器２のｐｏｒｔ３に接続している。
【００７５】
同軸ケーブル４は、中心導体４ａの周囲に絶縁層を形成し、絶縁層の周囲に外導体４ｂを形成したケーブルである。図１では、同軸ケーブル４の長さは、Ｌ３である。中心導体４ａの一端は不平衡‐平衡変換器２のｐｏｒｔ１に接続しており、他端はアンテナ入力端子（ＡＮＴ（＋））に接続している。外導体４ｂの一端（不平衡‐平衡変換器２側の端部）には２本のスリーブエレメント５が接続しており、他端にはアンテナグランド端子（ＡＮＴ（Ｇ））が接続している。スリーブエレメント５の長さは、同軸ケーブル４と同じＬ３である。
【００７６】
スリーブエレメント５を接続することによって、外導体４ｂに流れる電流のうち、アンテナエレメントと逆向きに流れる成分を抑制することができるので、アンテナ１の感度を向上させることができる。アンテナ１を流れる電流の方向については後述する。
【００７７】
なお、スリーブエレメント５を省略した場合でも電波の送受信は可能であるが、アンテナ１の送受信感度を高めるためには、スリーブエレメント５を接続することが好ましい。また、外導体４ｂにスリーブエレメント５を接続しない場合、同軸ケーブル４から外導体４ｂを引き出し、引き出した外導体４ｂを折り返して、スリーブエレメントとしても良い。
【００７８】
アンテナ１では、ＶＨＦ帯（略８８ＭＨｚ〜２２２ＭＨｚ）の電波の送受信時には、アンテナエレメント３ｂとスリーブエレメント５とがスリーブアンテナとして動作する。そして、ＵＨＦ帯（略４７０ＭＨｚ〜７１０ＭＨｚの周波数帯域及びその付近の周波数帯域）の電波の送受信時には、アンテナエレメント３ａとアンテナエレメント３ｂとがダイポールアンテナとして動作する。
【００７９】
なお、ここでは、略８８ＭＨｚ〜２２２ＭＨｚの周波数帯域とは、略８８ＭＨｚ〜２２２ＭＨｚの周波数帯域及びその付近の周波数帯域を指し、略４７０ＭＨｚ〜７１０ＭＨｚの周波数帯域とは、４７０ＭＨｚ〜７１０ＭＨｚの周波数帯域及びその付近の周波数帯域を指す。
【００８０】
すなわち、アンテナ１は、ＶＨＦ帯の電波送受信時とＵＨＦ帯の電波送受信時とで異なる送受信態様をとる。これにより、アンテナ１は、ＶＨＦ帯、ＵＨＦ帯の両方で高い送受信感度を実現している。
【００８１】
〔アンテナエレメント及び同軸ケーブルの長さについて〕
このように、ＶＨＦ帯の電波送受信時には、アンテナエレメント３ｂと同軸ケーブル４の外導体４ｂとがスリーブアンテナとして動作してＶＨＦ帯の電波を送受信する。したがって、アンテナエレメント３ｂ及び同軸ケーブル４の長さは、ＶＨＦ帯の電波の送受信に適した長さとすることが好ましい。
【００８２】
なお、アンテナの実効長、すなわち実際にアンテナとして動作する部分の長さが、送受信する電波の略１／４波長である場合（最低次共振）に、そのアンテナの送受信効率は最も高くなる。略１／４波長である場合とは、１／４波長に等しい長さか、あるいは１／４波長に近い長さである場合を指す。
【００８３】
したがって、ある周波数帯域の電波を送受信する場合、その帯域における最低周波数の電波の１／４波長の長さから、その帯域における最高周波数の電波の１／４波長の長さの範囲に含まれる長さの導電体でアンテナを構成することが好ましい。なお、本実施形態の例では、導電体はアンテナエレメント３ａ、アンテナエレメント３ｂ、及び同軸ケーブル４である。
【００８４】
また、ある周波数帯域に含まれる全ての周波数の電波を効率よく送受信するためには、その帯域における最低周波数の電波の１／４波長の導電体と、その帯域における最高周波数の電波の１／４波長の導電体とでアンテナ１を形成すればよい。
【００８５】
例えば、１００ＭＨｚの電波の１／４波長はおよそ７５ｃｍであり、１８０ＭＨｚの電波の１／４波長はおよそ４５ｃｍである。したがって、アンテナ１で１００ＭＨｚ〜１８０ＭＨｚの周波数帯域の電波を送受信する場合、同軸ケーブル４の長さＬ３を約７５ｃｍとし、アンテナエレメント３ｂの長さＬ２を約４５ｃｍとすればよい。これにより、１００ＭＨｚ〜１８０ＭＨｚの周波数帯域の電波を効率よく送受信することができる。
【００８６】
無論、同軸ケーブル４の長さＬ３を約４５ｃｍとし、アンテナエレメント３ｂの長さＬ２を約７５ｃｍとした場合でも、１００ＭＨｚ〜１８０ＭＨｚの周波数帯域の電波を効率よく送受信することができる。
【００８７】
また、例えば、ＦＭラジオ（略７５ＭＨｚ）を受信する場合には、７５ＭＨｚの電波の１／４波長はおよそ１００ｃｍであるから、同軸ケーブル４の長さＬ３またはアンテナエレメント３ｂの長さＬ２を約１００ｃｍとすればよい。
【００８８】
一方、ＵＨＦ帯の電波送受信時には、上述のように、アンテナエレメント３ａとアンテナエレメント３ｂとがダイポールアンテナとして動作する。したがって、アンテナエレメント３ａ及びアンテナエレメント３ｂの長さは、ＵＨＦ帯の電波の送受信に適した長さとすることが好ましい。
【００８９】
特に、アンテナエレメント３ｂの長さを、アンテナエレメント３ａの略３倍となる長さとすることで、ＵＨＦ帯の最低周波数から最高周波数までの波長の電波を効率よく受信することができる。
【００９０】
例えば、５００ＭＨｚの電波の１／４波長はおよそ１５ｃｍであり、上記のように１８０ＭＨｚの電波の１／４波長はおよそ４５ｃｍである。したがって、アンテナエレメント３ａの長さＬ１を約１５ｃｍとし、アンテナエレメント３ｂの長さＬ２を約４５ｃｍとすることにより、１８０ＭＨｚ〜５００ＭＨｚの周波数帯域の電波を効率よく送受信することができる。
【００９１】
（不平衡‐平衡変換器について）
不平衡‐平衡変換器２の詳細について、図２及び図３に基づいて説明する。図２（ａ）は、不平衡‐平衡変換器２の回路構成の一例を示す図である。図示のように、入力端子ｐｏｒｔ１は不平衡‐平衡変換器２内で２股に分岐している。分岐の一方は３段のＴ型ハイパス回路（第１フィルタ回路）１１（梯子型ハイパス回路）を介して出力端子ｐｏｒｔ２に接続しており、他方は３段のＴ型ローパス回路（第２フィルタ回路）１２（梯子型ローパス回路）を介して出力端子ｐｏｒｔ３に接続している。
【００９２】
すなわち、ハイパス回路１１とローパス回路１２とがｐｏｒｔ１に対して並列に接続されており、ハイパス回路１１の出力がｐｏｒｔ２であり、ローパス回路１２の出力がｐｏｒｔ３である。
【００９３】
ハイパス回路１１は、図示のように、直列接続された２つのコンデンサ１３、及びコンデンサ１３とコンデンサ１３との間に接続されたインダクタ１４から成る。また、ローパス回路１２は、直列接続された２つのインダクタ１４、及びインダクタ１４とインダクタ１４との間に接続されたコンデンサ１３から成る。なお、図２の例では、コンデンサ１３の容量は、４ｐＦ（ファラド）であり、インダクタ１４のインダクタンスは２２ｎＨ（ヘンリー）であることを想定している。
【００９４】
（ＶＨＦ帯の電波送受信時にスリーブアンテナとして動作する理由について）
図２（ｂ）は、図２（ａ）に示す不平衡‐平衡変換器２の通過特性を示すグラフである。図２（ｂ）のグラフは、横軸を周波数（ＧＨｚ）とし、縦軸に散乱行列（Ｓｉｊ）をｄＢ（デシベル）に換算した値（２０ｌｏｇ｜Ｓｉｊ｜）をプロットして得られたグラフであり、実線がローパス回路１２の通過特性を示し、破線がハイパス回路１１の通過特性を示している。
【００９５】
図示のように、ハイパス回路１１は、略０．３ＧＨｚ以下の周波数帯域が阻止帯域となっており、ローパス回路１２は、略０．８ＧＨｚ以上の周波数帯域が阻止帯域となっている。したがって、略０．３ＧＨｚ以下の周波数帯域の信号は、ローパス回路１２を通過できるがハイパス回路１１は通過できない。
【００９６】
すなわち、図２（ａ）において、ｐｏｒｔ１に０．３ＧＨｚ以下の周波数を有する信号が入力された場合、この信号はハイパス回路１１を通過することができないので、ローパス回路１２の出力端子であるｐｏｒｔ３からのみ信号が出力される。
【００９７】
例えば、図２（ａ）に示す不平衡‐平衡変換器２をアンテナ１に適用した場合に、０．３ＧＨｚ以下の周波数を有する高周波信号がアンテナ入力端子（ＡＮＴ（＋））とアンテナグランド端子（ＡＮＴ（Ｇ））とに入力されたとする。
【００９８】
アンテナ入力端子に入力された高周波信号は、中心導体４ａを通って不平衡‐平衡変換器２のｐｏｒｔ１へと伝達される。
【００９９】
ここで、この高周波信号の周波数は０．３ＧＨｚ以下であるから、ハイパス回路１１を通過することができない。
【０１００】
したがって、高周波信号は、ｐｏｒｔ２へは伝達されず、ｐｏｒｔ３のみに伝達される。そして、ｐｏｒｔ３には、アンテナエレメント３ｂが接続されているので、上記高周波信号はアンテナエレメント３ｂへと伝達される。
【０１０１】
一方、アンテナグランド端子に入力された高周波信号は、外導体４ｂを通ってスリーブエレメント５へと伝達される。
【０１０２】
したがって、アンテナエレメント３ｂを流れる電流とスリーブエレメント５を流れる電流とは同じ向きとなり、その結果、アンテナエレメント３ｂとスリーブエレメント５とがスリーブアンテナとして動作する。
【０１０３】
すなわち、図２（ａ）に示す不平衡‐平衡変換器２をアンテナ１に適用した場合、アンテナ１で略０．３ＧＨｚ以下の周波数を有する高周波信号を送受信するときには、アンテナエレメント３ｂとスリーブエレメント５とがスリーブアンテナとして動作する。
【０１０４】
（ＵＨＦ帯の電波送受信時にダイポールアンテナとして動作する理由について）
一方、図２（ｂ）に示すように、略０．４５〜０．５５ＧＨｚの周波数帯域や、略０．７５〜０．９ＧＨｚの周波数帯域では、ハイパス回路１１及びローパス回路１２は、共に通過帯域となっている。したがって、略０．４５〜０．５５ＧＨｚの周波数帯域や、略０．７５〜０．９ＧＨｚの周波数帯域の信号は、ハイパス回路１１及びローパス回路１２の両方を通過することができる。
【０１０５】
すなわち、図２（ａ）において、ｐｏｒｔ１に略０．４５〜０．５５ＧＨｚの周波数帯域や、略０．７５〜０．９ＧＨｚの周波数を有する信号が入力された場合、この信号はハイパス回路１１及びローパス回路１２を通過して、ｐｏｒｔ２及びｐｏｒｔ３の両方から信号が出力される。
【０１０６】
また、図２（ｃ）は、図２（ａ）の不平衡‐平衡変換器２の出力端子ｐｏｒｔ２及びｐｏｒｔ３における出力信号間の位相差を示すグラフである。図２（ｃ）のグラフでは、横軸が周波数（ＧＨｚ）であり、縦軸が位相（ｄｅｇ）である。
【０１０７】
図示のように、出力端子ｐｏｒｔ２及びｐｏｒｔ３における出力信号間の位相差は、略０．４５ＧＨｚ〜略０．６５ＧＨｚの周波数帯域において、略１８０°、すなわち逆位相となっている。
【０１０８】
したがって、図２（ａ）に示す不平衡‐平衡変換器２をアンテナ１に適用した場合に、略０．４５ＧＨｚ〜略０．６５ＧＨｚの周波数帯域の信号がｐｏｒｔ１に入力されたときには、ｐｏｒｔ２から出力される信号と、ｐｏｒｔ３から出力される信号とには、略１８０°の位相差が生じることになる。
【０１０９】
また、ハイパス回路１１及びローパス回路１２を通過するときに、信号の振幅は変わらないので、ｐｏｒｔ２から出力される信号と、ｐｏｒｔ３から出力される信号とは振幅が等しくなる。
【０１１０】
したがって、例えば、図２（ａ）に示す不平衡‐平衡変換器２をアンテナ１に適用した場合に、略０．４５ＧＨｚ〜０．６ＧＨｚの周波数を有する高周波信号がアンテナ入力端子（ＡＮＴ（＋））とアンテナグランド端子（ＡＮＴ（Ｇ））とに入力されたとする。
【０１１１】
この場合、ｐｏｒｔ１に入力された高周波信号は、略０．４５ＧＨｚ〜０．６ＧＨｚの周波数を持つので、図２（ｂ）に示すように、ハイパス回路１１とローパス回路１２との両方を通過する。したがって、ｐｏｒｔ１に入力された高周波信号は、ｐｏｒｔ２及びｐｏｒｔ３の両方に出力され、アンテナエレメント３ａ及びアンテナエレメント３ｂへと伝達される。
【０１１２】
また、図２（ｃ）に示すように、略０．４５ＧＨｚ〜０．６ＧＨｚの周波数帯域の高周波信号がｐｏｒｔ１に入力された場合、ｐｏｒｔ２に接続しているアンテナエレメント３ａに流れる電流と、ｐｏｒｔ３に接続しているアンテナエレメント３ｂに流れる電流とは位相が１８０°異なる。また、アンテナエレメント３ａに流れる電流と、アンテナエレメント３ｂに流れる電流とは振幅が略等しい。
【０１１３】
その結果、アンテナエレメント３ａとアンテナエレメント３ｂとがダイポールアンテナとして動作する。すなわち、図２（ａ）に示す不平衡‐平衡変換器２をアンテナ１に適用した場合、アンテナ１で略０．４５ＧＨｚ〜０．６ＧＨｚの周波数を有する高周波信号を送受信するときには、アンテナエレメント３ａとアンテナエレメント３ｂとでダイポールアンテナとして動作する。
【０１１４】
〔本発明のアンテナの利得について〕
そして、図３は、アンテナエレメントＡの長さＬ１を１５ｃｍ、アンテナエレメントＢの長さＬ２を４５ｃｍ、同軸ケーブル４の長さＬ３を７５ｃｍとし（図１参照）、図２に示す特性の不平衡‐平衡変換器２を用いた場合の、アンテナ１の最大利得（Maximum Gain）の周波数特性を示すグラフである。
【０１１５】
なお、図３のグラフでは、横軸が周波数（ＭＨｚ）であり、縦軸が最大利得（ｄＢｉ）である。また、図３では、アンテナ１の最大利得の周波数特性を実線で示し、比較のために従来のアンテナにおける最大利得の周波数特性もあわせて示している（破線のグラフ）。
【０１１６】
なお、従来のアンテナは、図１に示すアンテナ１から不平衡‐平衡変換器２を外し、同軸ケーブル４の中心導体４ａに直接アンテナエレメント３ａ及びアンテナエレメント３ｂを接続した構成のものを用いた。
【０１１７】
図示のように、アンテナ１は、従来のアンテナと比べて、ＶＨＦ帯（８８ＭＨｚ〜２２２ＭＨｚ）及び、ＵＨＦ帯（４７０ＭＨｚ〜７１０ＭＨｚ）のいずれの帯域においても最大利得が大きくなっている。
【０１１８】
アンテナ１におけるＶＨＦ帯の最大利得が、従来のアンテナと比べて高くなっている理由としては、アンテナ１では、ＶＨＦ帯の電波の送受信時に、アンテナエレメント３ａに電流が流れず、アンテナエレメント３ｂとスリーブエレメント５とがスリーブアンテナとして動作することが挙げられる。
【０１１９】
これに対し、従来のアンテナでは、アンテナエレメント３ａとアンテナエレメント３ｂとの両方に電流が分布する。アンテナエレメント３ａとアンテナエレメント３ｂとの両方に電流が分布する場合、アンテナエレメント３ａとアンテナエレメント３ｂとの配置によっては、アンテナエレメント３ａを流れる電流とアンテナエレメント３ｂを流れる電流との向きが逆向きになることがある。
【０１２０】
このような場合に、アンテナエレメント３ａを流れる電流とアンテナエレメント３ｂを流れる電流とが干渉し合うので、スリーブアンテナとしての送受信感度が低下してしまう。
【０１２１】
すなわち、アンテナエレメント３ａを流れる電流の干渉の影響が無い分だけ、本発明のアンテナ１は、従来のアンテナと比べてＶＨＦ帯の電波の送受信感度が高くなっており、最大利得も大きくなっている。
【０１２２】
また、アンテナ１におけるＵＨＦ帯の最大利得が、従来のアンテナと比べて高くなっている理由としては、ＵＨＦ帯の電波の送受信時には、アンテナエレメント３ａとアンテナエレメント３ｂとがダイポールアンテナとして動作することが挙げられる。
【０１２３】
すなわち、アンテナ１では、ＵＨＦ帯の電波の送受信時には、アンテナエレメント３ａとアンテナエレメント３ｂとが共振するので、同軸ケーブル４の外導体４ｂに進行波励振が起こり難い。
【０１２４】
一般に、同軸ケーブルの外導体は、アンテナエレメントと比べて表面積が大きく、導体損失が少ない。このため、同軸ケーブルの外導体に流れる電流成分がアンテナエレメントを流れる電流にあたえる影響は大きく、同軸ケーブルの外導体に流れる電流がアンテナの感度を左右してしまう（進行波励振）。
【０１２５】
つまり、従来のアンテナでは、同軸ケーブル４の外導体４ｂに励振される漏洩電流分布と、アンテナエレメント３ａ及びアンテナエレメント３ｂに励振される電流分布とを比較した場合、アンテナの電流源としては漏洩電流が支配的である。
【０１２６】
これに対し、本発明のアンテナ１は、アンテナエレメント３ａとアンテナエレメント３ｂとが共振することにより、アンテナエレメント３ａとアンテナエレメント３ｂとが、同軸ケーブル４の外導体４ｂと比べて、アンテナ１の電流源として支配的となる。
【０１２７】
したがって、本発明のアンテナ１では、ＵＨＦ帯の電波の送受信に好適な長さに設定したアンテナエレメント３ａとアンテナエレメント３ｂとでＵＨＦ帯の電波を送受信することができる。これにより、アンテナ１では、従来のアンテナと比べてＵＨＦ帯の電波の送受信感度が高くなっており、最大利得も大きくなっている。
【０１２８】
〔不平衡‐平衡変換器の変形例〕
図４（ａ）は、図１に示す不平衡‐平衡変換器２をさらに広帯域にした、不平衡‐平衡変換器２’の回路構成の例を示す図である。また、同図（ｂ）は不平衡‐平衡変換器２’の通過特性を示すグラフであり、同図（ｃ）は上記不平衡‐平衡変換器２’のｐｏｒｔ２及びｐｏｒｔ３における出力信号間の位相差を示すグラフである。
【０１２９】
図４（ａ）に示す不平衡‐平衡変換器２’は、図２（ａ）に示す不平衡‐平衡変換器２と同様に、ｐｏｒｔ１に、ハイパス回路１１’とローパス回路１２’とが並列に接続されている。
【０１３０】
ハイパス回路１１’は、図４（ｂ）に示すように、略０．３ＧＨｚ以下の周波数帯域が阻止帯域となっており、ローパス回路１２’は、０〜１ＧＨｚの帯域は全て通過帯域となっている。また、ハイパス回路１１’は、図２（ｂ）に示すハイパス回路１１で通過特性が低くなっていた帯域（略０．６〜０．８ＧＨｚ）においても高い通過特性を有している。
【０１３１】
ローパス回路１２’は、図４（ｂ）に示すように、１ＧＨｚ以下の周波数帯域が全て通貨帯域となっている。すなわち、ローパス回路１２’では、図２（ｂ）に示すローパス回路１２で通過特性が低くなっていた帯域（略０．３〜０．５ＧＨｚ及び略０．８ＧＨｚ以上の周波数帯域）においても高い通過特性を有している。
【０１３２】
また、ハイパス回路１１’とローパス回路１２’とは、図４（ｂ）に示すように、略０．５ＧＨｚ以上の周波数帯域において通過特性がほぼ等しくなっている。
【０１３３】
このような特性を有するハイパス回路１１’及びローパス回路１２’で構成される不平衡‐平衡変換器２’の、ｐｏｒｔ２及びｐｏｒｔ３における出力信号間の位相差特性を図４（ｃ）に示す。図示のように、ｐｏｒｔ２及びｐｏｒｔ３における出力信号間の位相差は、略０．５ＧＨｚ〜１ＧＨｚの幅広い周波数帯域において、略１８０°となっている。
【０１３４】
ここで、不平衡‐平衡変換器２’における信号の流れについて、図５に基づいて説明する。同図（ａ）はＵＨＦ帯の信号の流れを示す図であり、同図（ｂ）はＶＨＦ帯の信号の流れを示す図である。
【０１３５】
（ＵＨＦ帯の信号の流れ）
ＵＨＦ帯の電波を送受信する場合、ｐｏｒｔ１にＵＨＦ帯の信号が励振される。ここで、図４（ｂ）に示すように、ハイパス回路１１’及びローパス回路１２’は、いずれも略０．４ＧＨｚ以上の周波数帯域が通過帯域となっている。したがって、図５（ａ）に示すように、ｐｏｒｔ１に励振されたＵＨＦ帯の信号は、ｐｏｒｔ２及びｐｏｒｔ３の両方に伝達される。
【０１３６】
ここで、図４（ｃ）に示すように、ｐｏｒｔ２及びｐｏｒｔ３における出力信号間の位相差は、略０．５ＧＨｚ〜１ＧＨｚの幅広い周波数帯域において、略１８０°となっている。
【０１３７】
したがって、不平衡‐平衡変換器２’を図１のアンテナ１に適用した場合に、ＵＨＦ帯の信号がｐｏｒｔ１に入力されたとすると、ｐｏｒｔ２から出力される信号と、ｐｏｒｔ３から出力される信号とには、略１８０°の位相差が生じることになる。
【０１３８】
また、ハイパス回路１１’及びローパス回路１２’を通過するときに、信号の振幅は変わらないので、出力端子ｐｏｒｔ２から出力される信号と、ｐｏｒｔ３から出力される信号とは振幅が等しくなる。したがって、図２に示す（ａ）に示す不平衡‐平衡変換器２を用いた場合と同様に、アンテナエレメント３ａとアンテナエレメント３ｂとがダイポールアンテナとして動作する。
【０１３９】
（ＶＨＦ帯の信号の流れ）
一方、ＶＨＦ帯の電波を送受信する場合、ｐｏｒｔ１にＶＨＦ帯の周波数を持つ信号が励振される。ここで、図４（ｂ）に示すように、ローパス回路１２’はＶＨＦ帯が通過帯域となっているが、ハイパス回路１１’は０．３ＧＨｚ以下の周波数帯域が阻止帯域となっている。これにより、図５（ｂ）に示すように、ｐｏｒｔ１に励振されたＶＨＦ帯の信号は、ｐｏｒｔ３にのみ伝達される。
【０１４０】
したがって、不平衡‐平衡変換器２’を図１のアンテナ１に適用した場合に、ＶＨＦ帯の信号がｐｏｒｔ１に入力されたとすると、入力された信号はｐｏｒｔ３に接続するアンテナエレメント３ｂへと伝達されるが、ｐｏｒｔ２に接続するアンテナエレメント３ａには伝達されない。
【０１４１】
その結果、図２に示す（ａ）に示す不平衡‐平衡変換器２を用いた場合と同様に、アンテナエレメント３ｂとスリーブエレメント５とがスリーブアンテナとして動作する。
【０１４２】
（図２に示す不平衡‐平衡変換器との比較）
このように、アンテナ１では、不平衡‐平衡変換器２’を用いた場合においても、図２に示す不平衡‐平衡変換器２を用いた場合と同様に、ＶＨＦ帯ではスリーブアンテナとして動作し、ＵＨＦ帯ではダイポールアンテナとして動作する。
【０１４３】
しかしながら、不平衡‐平衡変換器２’は、図２に示す不平衡‐平衡変換器２と回路構成が異なる（図２及び図４参照）ので、受信感度も異なっている。すなわち、不平衡‐平衡変換器２’を用いた場合、図２に示す不平衡‐平衡変換器２を用いると比べて、より広い周波数帯域において高感度なアンテナを実現できる。
【０１４４】
これは、不平衡‐平衡変換器２’を用いた場合、ＵＨＦ帯において、アンテナ１がダイポールアンテナとして動作する周波数帯域がより広くなるためである。
【０１４５】
すなわち、不平衡‐平衡変換器２’では、図４（ｃ）に示すように、略０．５ＧＨｚ〜１ＧＨｚの周波数帯域でｐｏｒｔ２から出力される信号と、ｐｏｒｔ３から出力される信号との位相差が略１８０°となっている。
【０１４６】
これに対し、図２（ａ）に示す不平衡‐平衡変換器２では、図２（ｃ）に示すように、略０．４５ＧＨｚ〜０．６５ＧＨｚの周波数帯域でｐｏｒｔ２から出力される信号と、ｐｏｒｔ３から出力される信号との位相差が略１８０°であった。
【０１４７】
すなわち、図４（ａ）に示す不平衡‐平衡変換器２’を用いた場合、図２（ａ）に示す不平衡‐平衡変換器２を用いる場合と比べて、ｐｏｒｔ２から出力される信号と、ｐｏｒｔ３から出力される信号との位相差が略１８０°となる周波数帯域が広くなる。
【０１４８】
したがって、不平衡‐平衡変換器２’を用いてアンテナ１を構成した場合、アンテナ１は、ＵＨＦ帯における、より広い周波数帯域でダイポールアンテナとして動作する。その結果、図２（ａ）に示す不平衡‐平衡変換器２を用いる場合と比べてより広帯域で高感度なアンテナとなる。
【０１４９】
図６は、アンテナエレメントＡの長さＬ１を１５ｃｍ、アンテナエレメントＢの長さＬ２を４５ｃｍ、同軸ケーブル４の長さＬ３を７５ｃｍとし（図１参照）、図５に示す周波数特性を有する不平衡‐平衡変換器２’を用いた場合の、アンテナ１の最大利得の周波数特性を示すグラフである。
【０１５０】
図６のグラフでは、図３のグラフと同様に、横軸が周波数（ＭＨｚ）、縦軸が最大利得（ｄＢｉ）である。また、アンテナ１の最大利得の周波数特性を実線で示し、比較のために従来のアンテナにおける最大利得の周波数特性もあわせて示している（破線のグラフ）。なお、従来のアンテナは、図３に示したものと同じである。
【０１５１】
図示のように、不平衡‐平衡変換器２’を用いて構成したアンテナ１は、従来のアンテナと比べて、略２００ＭＨｚ〜９００ＭＨｚの帯域において最大利得が大きくなっている。また、図２に示す不平衡‐平衡変換器２を用いた場合（図３参照）と比べて、略６００ＭＨｚ〜９００ＭＨｚの帯域の最大利得が大きくなっている。
【０１５２】
これは、上述のように、図２（ａ）に示す不平衡‐平衡変換器２を用いる場合、アンテナ１は、略０．４５ＧＨｚ〜０．６５ＧＨｚの周波数帯域でダイポールアンテナとして動作するのに対し、不平衡‐平衡変換器２’を用いた場合、アンテナ１は、略０．５ＧＨｚ〜１ＧＨｚの周波数帯域でダイポールアンテナとして動作することによる。
【０１５３】
このように、アンテナ１では、出力端子ｐｏｒｔ２及びｐｏｒｔ３からの出力信号の位相差が、略１８０°となる場合にダイポールアンテナとして動作する。したがって、高い利得を確保したい帯域において、出力端子ｐｏｒｔ２及びｐｏｒｔ３からの出力信号の位相差が略１８０°となる通過特性のハイパス回路及びローパス回路を用いればよい。
【０１５４】
なお、不平衡‐平衡変換器に用いるローパス回路及びハイパス回路は、図２（ａ）に示すように、コンデンサやインダクタ等を組み合わせて所望の通過特性のものを作成して用いても良いし、市販のものを用いても良い。
【０１５５】
〔実施の形態２〕
本実施形態では、上記アンテナ１をイヤホンアンテナに適用した例を図７〜図１０に基づいて説明する。本発明のイヤホンアンテナ２１は、携帯型端末を用いてＦＭ、ＶＨＦ、ＵＨＦ帯の電波の受信するような場合に好適に使用できる。まず、本発明のアンテナ１を３極イヤホンと組み合わせた場合の構成例を図７に基づいて説明する。なお、上記実施形態で説明した構成と同様の機能を有する構成には同一の符号を付して、その説明を省略する。
【０１５６】
（従来のイヤホンアンテナの構成）
まず、本発明と比較するため、従来のイヤホンアンテナについて、図１４に基づいて説明する。図１４は、従来のイヤホンアンテナ１０１の概略構成を示す図である。図示のように、イヤホンアンテナ１０１は、給電ケーブル１０２、イヤホンケーブル１０３Ｌ、イヤホンケーブル１０３Ｒ、イヤホン１０４Ｌ、及びイヤホン１０４Ｒで構成されている。
【０１５７】
給電ケーブル１０２は、同軸ケーブル１０５、第１音声ケーブル１０６Ｌ、及び第１音声ケーブル１０６Ｒから成る。同軸ケーブル１０５は、中心導体１０５ａ及び外導体１０５ｂを備えている。
【０１５８】
イヤホンケーブル１０３Ｌは、第２音声ケーブル１０７ＬＰ及び第２音声ケーブル１０７ＬＮから成り、イヤホンケーブル１０３Ｒは、第２音声ケーブル１０７ＲＰ及び第２音声ケーブル１０７ＲＮから成る。
【０１５９】
同軸ケーブル１０５の中心導体１０５ａの一端はアンテナ入力端子（ＡＮＴ（＋））に接続しており、他端は、第２音声ケーブル１０７ＬＮ及び第２音声ケーブル１０７ＲＮに接続している。
【０１６０】
同軸ケーブル１０５の外導体１０５ｂの一端（アンテナ入力端子側の端部）はアンテナグランド端子（ＡＮＴ（Ｇ））に接続している。また、外導体１０５ｂの他端は、チョークコイル１０８を介して第２音声ケーブル１０７ＬＮに接続していると共に、２つの高周波通過コンデンサ１０９に接続している。
【０１６１】
外導体１０５ｂに接続している２つの高周波コンデンサの一方は、第１音声ケーブル１０６Ｌに接続していると共に、チョークコイル１０８を介して第２音声ケーブル１０７ＬＰに接続している。同様に、高周波コンデンサの他方は、第１音声ケーブル１０６Ｒに接続していると共に、チョークコイル１０８を介して第２音声ケーブル１０７ＲＰに接続している。
【０１６２】
チョークコイル１０８は、高周波で高インピーダンスとなり、低周波では低インピーダンスとなるインダクタンス値を持ち、高周波通過コンデンサ１０９は高周波で低インピーダンスとなって、音声信号では高インピーダンスとなる特性を持つ。
【０１６３】
すなわち、チョークコイル１０８は、高周波信号は通過させず、音声信号を通過させる。逆に、高周波通過コンデンサ１０９は、音声信号は通過させず、高周波信号を通過させる。
【０１６４】
イヤホンアンテナ１０１の動作について説明する。アンテナ入力端子及びアンテナグランド端子に高周波信号が励振された場合、アンテナ入力端子に励振された高周波信号は、中心導体１０５ａを通り、第２音声ケーブル１０７ＬＮを通ってイヤホン１０４Ｌへと流れると共に、第２音声ケーブル１０７ＲＮを通ってイヤホン１０４Ｒへと流れる。
【０１６５】
同時に、アンテナグランド端子に励振された高周波信号は、外導体１０５ｂを通り、高周波通過コンデンサ１０９を介して第１音声ケーブル１０６Ｌ及び第１音声ケーブル１０６Ｒへと流れる。
【０１６６】
したがって、イヤホンアンテナ１０１では、第１音声ケーブル１０６Ｌ及び第１音声ケーブル１０６Ｒを流れる電流と、第２音声ケーブル１０７ＬＮ及び第２音声ケーブル１０７ＲＮを流れる電流との方向が同一となる。その結果、イヤホンアンテナ１０１では、第１音声ケーブル１０６Ｌ及び第１音声ケーブル１０６Ｒと、第２音声ケーブル１０７ＬＮ及び第２音声ケーブル１０７ＲＮとがスリーブアンテナとして動作する。
【０１６７】
したがって、イヤホンアンテナ１０１で、ＶＨＦ帯（８８ＭＨｚ〜２２２ＭＨｚ）を受信する場合、イヤホンケーブル１０３Ｌやイヤホンケーブル１０３Ｒ、給電ケーブル１０２の長さを８８ＭＨｚ〜２２２ＭＨｚの受信に適した長さ（例えば４５ｃｍ〜７５ｃｍ程度）に設定すればよい。
【０１６８】
ここで、イヤホンアンテナ１０１で形成されるスリーブアンテナで５００ＭＨｚ（ＵＨＦ帯）の電波を受信する場合、５００ＭＨｚの電波の１／４波長が略１５ｃｍであることから、イヤホンケーブル１０３等の好適な長さは１５ｃｍ程度となる。
【０１６９】
しかしながら、イヤホンケーブル１０３の長さを１５ｃｍとした場合、人の顔の大きさに対して、イヤホンケーブル１０３が短すぎるため、イヤホンアンテナ１０１としての使用に支障をきたす。
【０１７０】
そこで、一般的なイヤホンアンテナでは、イヤホンケーブル、同軸ケーブル、及び音声ケーブルの長さをそれぞれＶＨＦ‐Ｈ帯(２００ＭＨｚ)で１／４波長となる３７．５ｃｍ程度としている。
【０１７１】
したがって、一般的なイヤホンアンテナでＵＨＦ帯の受信するときには、受信した電波の高次共振を用いることになるため、最低次共振（受信した電波の１／４波長の長さの導線における共振）を用いる場合と比較して受信感度が低くなってしまう。
【０１７２】
また、イヤホンアンテナ１０１では、イヤホンケーブル１０３Ｌとイヤホンケーブル１０３Ｒとのなす角度θが１８０°に近づくほど、イヤホンケーブル１０３Ｌを流れる電流とイヤホンケーブル１０３Ｒを流れる電流との向きが１８０°逆向きに近づくことになる。
【０１７３】
そして、イヤホンケーブル１０３Ｌを流れる電流とイヤホンケーブル１０３Ｒを流れる電流との向きが１８０°逆向きに近づくことにより、イヤホンアンテナ１０１の感度は低下してしまう。
【０１７４】
（本発明のイヤホンアンテナの構成）
続いて、本発明のイヤホンアンテナ２１について図７に基づいて説明する。図７はイヤホンアンテナ２１の概略構成を示す図である。図示のように、イヤホンアンテナ２１は、給電ケーブル２２、不平衡‐平衡変換器２’（図４〜図６参照）、イヤホンケーブル（第１イヤホンケーブル）２３Ｌ、イヤホンケーブル２３（第２イヤホンケーブル）Ｒ、イヤホン（第１イヤホン）２４Ｌ、及びイヤホン（第２イヤホン）２４Ｒを備えている。
【０１７５】
給電ケーブル２２は、第１音声ケーブル２５Ｌと、第１音声ケーブル２５Ｒと、同軸ケーブル２６とを備えている。図示していないが、給電ケーブル２２は、第１音声ケーブル２５Ｒと、同軸ケーブル２６とをビニール線等の絶縁体で被覆して構成されている。
【０１７６】
イヤホンケーブル２３Ｌは、第２音声ケーブル２７ＬＰと第２音声ケーブル２７ＬＮとで構成されており、イヤホンケーブル２３Ｒも同様に、第２音声ケーブル２７ＲＰと第２音声ケーブル２７ＲＮとで構成されている。イヤホンケーブル２３Ｌ及びイヤホンケーブル２３Ｒも、給電ケーブル２２と同様に、図示しないビニール線等の絶縁体で各ケーブルを被覆して構成されている。
【０１７７】
同軸ケーブル２６の中心導体２６ａの一端はアンテナ入力端子（ＡＮＴ（＋））に接続しており、他端は不平衡‐平衡変換器２’のｐｏｒｔ１に接続している。不平衡‐平衡変換器２’のｐｏｒｔ２は、第２音声ケーブル２７ＬＮに接続すると共に、インダクタ２８ｂを介して外導体２６ｂに接続している。同様に、不平衡‐平衡変換器２’のｐｏｒｔ３は、第２音声ケーブル２７ＲＮに接続すると共に、インダクタ２８ｃを介して外導体２６ｂに接続している。
【０１７８】
同軸ケーブル２６の外導体２６ｂの一端（アンテナ入力端子側）はアンテナグランド端子（ＡＮＴ（Ｇ））に接続しており、外導体２６ｂの他端はコンデンサ２９ａを介して第１音声ケーブル２５Ｌに接続していると共に、コンデンサ２９ｂを介して第１音声ケーブル２５Ｒに接続している。さらに、外導体２６ｂの他端はコンデンサ２９ｂを介して不平衡‐平衡変換器２’のｐｏｒｔ２に接続していると共に、インダクタ２８ｃを介して不平衡‐平衡変換器２’のｐｏｒｔ３に接続している。
【０１７９】
不平衡‐平衡変換器２’のｐｏｒｔ２は、インダクタ２８ａを介して外導体２６ｂと接続していると共に、第２音声ケーブル２７ＬＮに接続しており、第２音声ケーブル２７ＬＮはイヤホン２４Ｌのマイナス端子（−）に接続している。
【０１８０】
同様に、不平衡‐平衡変換器２’のｐｏｒｔ３は、インダクタ２８ｃを介して外導体２６ｂと接続していると共に、第２音声ケーブル２７ＲＮに接続しており、第２音声ケーブル２７ＲＮはイヤホン２４Ｒのマイナス端子（−）に接続している。
【０１８１】
第１音声ケーブル２５Ｌの一端は音声入力端子Ｌ（Ｌ（＋））に接続しており、第１音声ケーブル２５Ｌの他端はコンデンサ２９ａを介して同軸ケーブル２６の外導体２６ｂに接続すると共に、インダクタ２８ａを介して第２音声ケーブル２７ＬＰに接続している。そして、第２音声ケーブル２７ＬＰは、イヤホン２４Ｌのプラス端子（＋）に接続している。
【０１８２】
同様に、第１音声ケーブル２５Ｒの一端は音声入力端子Ｒ（Ｒ（＋））に接続しており、その他端はコンデンサ２９ｂを介して同軸ケーブル２６の外導体２６ｂに接続すると共に、インダクタ２８ｄを介して第２音声ケーブル２７ＲＰに接続している。そして、第２音声ケーブル２７ＲＰは、イヤホン２４Ｒのプラス端子（＋）に接続している。
【０１８３】
なお、インダクタ２８は音声信号等の低周波で低インピーダンスとなり、高周波で高インピーダンスとなる特性を有し、コンデンサ２９は高周波で低インピーダンスとなり、音声信号等の低周波で高インピーダンスとなる特性を有する。
【０１８４】
すなわち、インダクタ２８は、音声信号は通過させるが、ＶＨＦ、ＵＨＦ等の高周波信号は通過させない。逆に、コンデンサ２９は、ＶＨＦ、ＵＨＦ等の高周波信号は通過させるが、音声信号は通過させない。
【０１８５】
（本発明のイヤホンアンテナの動作説明）
ここでは、イヤホンアンテナ２１の動作例を説明する。まず、イヤホンアンテナ２１における音声信号の入出力動作について説明する。音声信号の入出力動作は、ＶＨＦ帯の電波を受信する場合、及びＵＨＦ帯の電波を受信する場合で共通の動作である。
【０１８６】
（音声信号の入出力動作）
ステレオ音声信号（＋）は、音声入力端子Ｌ（Ｌ(＋)）及び音声入力端子Ｒ（Ｒ(＋)）に入力される。そして、音声入力端子Ｌに入力されたステレオ音声信号（＋）は第１音声ケーブル２５Ｌに伝達され、音声入力端子Ｒに入力されたステレオ音声信号（＋）は第１音声ケーブル２５Ｒに伝達される。
【０１８７】
ここで、第１音声ケーブル２５Ｌの端部（音声入力端子が接続されていない側の端部）には、インダクタ２８ａ及びコンデンサ２９ａが接続されているが、音声信号は、インダクタ２８ａを通過できるがコンデンサ２９ａを通過することはできない。
【０１８８】
したがって、第１音声ケーブル２５Ｌに伝達されたステレオ音声信号（＋）はインダクタ２８ａを通過し、第２音声ケーブル２７ＬＰを介してイヤホン２４Ｌの出力端子（＋）に供給され、イヤホン２４Ｌから音声出力される。同様に、第１音声ケーブル２５Ｒに伝達されたステレオ音声信号（＋）はインダクタ２８ｄを通過し、第２音声ケーブル２７ＲＰを介してイヤホン２４Ｒのプラス端子（＋）に供給され、イヤホン２４Ｒから音声出力される。
【０１８９】
一方、イヤホンアンテナ２１は、３極イヤホンであるから、ステレオ音声信号（−）は、アンテナグランド端子（ＡＮＴ（Ｇ））に入力される。すなわち、イヤホンアンテナ２１は、音声信号のグランド端子とアンテナグランド端子を共通化した効率のよい構成である。
【０１９０】
アンテナグランド端子に入力されたステレオ音声信号（−）は、外導体２６ｂ及びインダクタ２８ｂを通過して第２音声ケーブル２７ＬＮに伝達される。そして、ステレオ音声信号（−）は、イヤホン２４Ｌの出力端子（−）に供給されてイヤホン２４Ｌから音声出力される。同様に、ステレオ音声信号（−）は、外導体２６ｂ及びインダクタ２８ｃを通過して第２音声ケーブル２７ＲＮに伝達される。そして、ステレオ音声信号（−）は、イヤホン２４Ｒのマイナス端子（−）に供給されてイヤホン２４Ｒから音声出力される。
【０１９１】
（ＶＨＦ帯の電波を受信する場合の動作例）
続いて、ＶＨＦ帯の電波を受信する場合のイヤホンアンテナ２１の動作例について説明する。ＶＨＦ帯の電波を受信した場合、ＶＨＦ帯の周波数を持つ高周波信号が、アンテナ入力端子（ＡＮＴ(＋)）に励振される。そして、この高周波信号は、同軸ケーブル２６の中心導体２６ａを通り、不平衡‐平衡変換器２’の入力端子であるｐｏｒｔ１へと送られる。
【０１９２】
不平衡‐平衡変換器２’のｐｏｒｔ１には、図５（ｂ）に示すように、ハイパス回路１１’とローパス回路１２’とが並列に接続されており、ＶＨＦ帯の信号は、ローパス回路１２’のみを通過することができる。
【０１９３】
したがって、この場合、ｐｏｒｔ１に送られた高周波信号はｐｏｒｔ３にのみ伝達される。ここで、ｐｏｒｔ３は、第２音声ケーブル２７ＲＮに接続していると共に、インダクタ２８ｃを介して外導体２６ｂに接続している。
【０１９４】
しかしながら、インダクタ２８ｃは高周波信号を通過させないので、ｐｏｒｔ３に伝達された高周波信号は第２音声ケーブル２７ＲＮに送られ、第２音声ケーブル２７ＲＮ中をイヤホン２４Ｒのマイナス端子（−）に向かって流れる。
【０１９５】
すなわち、ＶＨＦ帯の電波を受信する場合、アンテナ入力端子（ＡＮＴ(＋)）とイヤホン２４Ｒのマイナス端子（−）とが電気的に接続され、その結果、アンテナ入力端子（ＡＮＴ(＋)）からイヤホン２４Ｒのマイナス端子（−）に向かって電流が流れることになる。
【０１９６】
また、高周波信号は、アンテナグランド端子（ＡＮＴ（Ｇ））にも励振される。アンテナグランド端子に励振された高周波信号は外導体２６ｂを流れる。ここで、外導体２６ｂの端部（アンテナグランド端子が接続されていない側の端部）には、インダクタ２８ｂ及びインダクタ２８ｃと、コンデンサ２９ａ及びコンデンサ２９ｂとが接続されているが、インダクタ２８ｂ及びインダクタ２８ｃは高周波信号を通さない。
【０１９７】
したがって、アンテナグランド端子に励振された高周波信号は、コンデンサ２９ａを介して第１音声ケーブル２５Ｌへと流れると共に、コンデンサ２９ｂを介して第１音声ケーブル２５Ｒへと流れる。
【０１９８】
すなわち、ＶＨＦ帯の電波を受信する場合、アンテナグランド端子（ＡＮＴ(Ｇ)）と音声入力端子（Ｌ（＋）、Ｒ（＋））とが電気的に接続され、その結果、音声入力端子（Ｌ（＋）、Ｒ（＋））からアンテナグランド端子（ＡＮＴ(Ｇ)）に向かって電流が流れることになる。
【０１９９】
したがって、ＶＨＦ帯の電波を受信する場合、第１音声ケーブル２５Ｌ及び第１音声ケーブル２５Ｒを流れる電流の向きと、第２音声ケーブル２７ＲＮを流れる電流の向きとが同じになり、これにより、第１音声ケーブル２５Ｌ及び第１音声ケーブル２５Ｒと、第２音声ケーブル２７ＲＮとでスリーブアンテナとして動作する。
【０２００】
すなわち、イヤホンアンテナ２１では、第１音声ケーブル２５Ｌ及び第１音声ケーブル２５Ｒがスリーブエレメントとしての役割を果たしている。
【０２０１】
このように、イヤホンアンテナ２１では、スリーブアンテナとして動作するときに第２音声ケーブル２７ＬＮには電流が流れない。したがって、図１４に示す従来のイヤホンアンテナ１０１のように、イヤホンケーブル１０３Ｌとイヤホンケーブル１０３Ｒとのなす角度θが１８０°に近づくほどアンテナ感度が低下するということがない。
【０２０２】
（ＵＨＦ帯の電波を受信する場合の動作例）
次に、ＵＨＦ帯の電波を受信する場合のイヤホンアンテナ２１の動作例について説明する。ＵＨＦ帯の電波を受信した場合、ＵＨＦ帯の周波数を持つ高周波信号が、アンテナ入力端子（ＡＮＴ(＋)）に励振される。そして、この高周波信号は、同軸ケーブル２６の中心導体２６ａを通り、不平衡‐平衡変換器２’の入力端子であるｐｏｒｔ１へと送られる。
【０２０３】
不平衡‐平衡変換器２’のｐｏｒｔ１には、図５（ａ）に示すように、ハイパス回路１１’とローパス回路１２’とが並列に接続されており、ＵＨＦ帯の信号は、ハイパス回路１１’とローパス回路１２’との両方を通過することができる。したがって、この場合、ｐｏｒｔ１に送られた高周波信号はｐｏｒｔ２及びｐｏｒｔ３の両方に伝達される。
【０２０４】
そして、ｐｏｒｔ３に伝達された高周波信号は、第２音声ケーブル２７ＲＮ中をイヤホン２４Ｒのマイナス端子（−）に向かって流れる。同様に、ｐｏｒｔ２に伝達された高周波信号は、第２音声ケーブル２７ＬＮ中をイヤホン２４Ｌのマイナス端子（−）に向かって流れる。
【０２０５】
ここで、図４（ｃ）に示すように、ｐｏｒｔ２から出力される信号とｐｏｒｔ３から出力される信号との位相差は、ＵＨＦ帯において略１８０°であり、また、ｐｏｒｔ２から出力される信号の振幅とｐｏｒｔ３から出力される信号の振幅とは略等しい。
【０２０６】
したがって、イヤホンアンテナ２１では、第２音声ケーブル２７ＲＮと第２音声ケーブル２７ＬＮとがダイポールアンテナとして動作する。
【０２０７】
なお、イヤホンアンテナ２１は、非対称ダイポール動作であるため、一方のケーブルを長くすることが可能である。したがって、実用範囲内で片側のケーブルを長くした場合であっても、従来のイヤホンアンテナよりもＵＨＦ帯の受信性能を向上させることができる。
【０２０８】
例えば、図７の例では、第２音声ケーブル２７ＬＮをＵＨＦ帯の受信に好適な長さとしており、２音声ケーブルＲＮを第２音声ケーブル２７ＬＮよりも長く設定している。したがって、２音声ケーブルＲＮは、ＵＨＦ帯の受信に好適な長さよりも長く設定されていることになるが、イヤホンアンテナ２１は、非対称ダイポール動作であるためＵＨＦ帯の受信感度が低下することが無い。
【０２０９】
（まとめ）
このように、イヤホンアンテナ２１は、ＶＨＦ帯の電波受信時にはスリーブアンテナとして動作する。そして、この場合、第１音声ケーブル２５Ｌ及び第１音声ケーブル２５Ｒと、第２音声ケーブル２７ＲＮとでスリーブアンテナが形成され、第２音声ケーブル２７ＬＮには電流が流れないため、ＶＨＦ帯の電波受信時に、従来のイヤホンアンテナと比べて高い利得を得ることができる。
【０２１０】
また、イヤホンアンテナ２１は、ＵＨＦ帯の電波受信時にはダイポールアンテナとして動作するため、ＵＨＦ帯の電波受信時に、従来のイヤホンアンテナと比べて高い利得を得ることができる。
【０２１１】
すなわち、イヤホンアンテナ２１は、従来のイヤホンアンテナと比べ、ＶＨＦ帯及びＵＨＲ帯の両帯域で高い利得を得ることができる高感度なイヤホンアンテナとなっている。
【０２１２】
〔イヤホンアンテナの変形例１〕
続いて、イヤホンアンテナ２１の変形例を図８に基づいて説明する。図８は、イヤホンアンテナ３１の概略構成を示す図である。
【０２１３】
イヤホンアンテナ３１では、図７に示すイヤホンアンテナ２１と比べて、第２音声ケーブル２７ＬＮの不平衡‐平衡変換器２’側端部と、第２音声ケーブル２７ＬＰの不平衡‐平衡変換器２’側端部とがコンデンサ（第１コンデンサ）２９ｃによって接続されていると共に、第２音声ケーブル２７ＲＮの不平衡‐平衡変換器２’側の端部と、第２音声ケーブル２７ＲＰの不平衡‐平衡変換器２’側の端部とがコンデンサ（第２コンデンサ）２９ｄによって接続されている点が異なる。
【０２１４】
イヤホンアンテナ３１では、コンデンサ２９ｃ及びコンデンサ２９ｄを備えていることにより、図７に示すイヤホンアンテナ２１と比べてさらに受信感度が高いイヤホンアンテナとなっている。
【０２１５】
イヤホンアンテナ３１でＶＨＦ帯の高周波信号を受信した場合、図７に示すイヤホンアンテナ２１と同様に、高周波信号は不平衡‐平衡変換器２’のｐｏｒｔ３へと伝達される。ここで、ｐｏｒｔ３には、第２音声ケーブル２７ＲＮが接続していると共に、コンデンサ２９ｄを介して第２音声ケーブル２７ＲＰが接続している。
【０２１６】
これにより、不平衡‐平衡変換器２’のｐｏｒｔ３に伝達された高周波信号は、第２音声ケーブルと第２音声ケーブル２７ＲＰとの両方に流れることになり、また、流れる電流の向きも同じである。
【０２１７】
したがって、イヤホンアンテナ３１でＶＨＦ帯を受信するときには、第１音声ケーブル２５Ｌ及び第１音声ケーブル２５Ｒと、第２音声ケーブル２７ＲＮ及び第２音声ケーブル２７ＲＰとがスリーブアンテナとして動作する。
【０２１８】
これに対し、図７に示すイヤホンアンテナ２１でＶＨＦ帯の電波を受信するときには、第１音声ケーブル２５Ｌ及び第１音声ケーブル２５Ｒと、第２音声ケーブル２７ＲＮとがスリーブアンテナとして動作する。
【０２１９】
すなわち、イヤホンアンテナ３１では、第２音声ケーブル２７ＲＰがスリーブアンテナの構成要素として加わるので、図７に示すイヤホンアンテナ２１よりもＶＨＦ帯の受信感度が高くなる。
【０２２０】
ＵＨＦ帯の電波を受信する場合も同様に、ｐｏｒｔ２に伝達された高周波信号が第２音声ケーブル２７ＬＰ及び第２音声ケーブル２７ＲＮの両方に伝達され、ｐｏｒｔ３に伝達された高周波信号が第２音声ケーブル２７ＲＰ及び第２音声ケーブル２７ＲＮの両方に伝達される。
【０２２１】
これにより、イヤホンアンテナ３１では、第２音声ケーブル２７ＬＰ及び第２音声ケーブル２７ＲＰがダイポールアンテナの構成要素として加わるので、図７に示すイヤホンアンテナ２１よりもＵＨＦ帯の受信感度が高くなる。
【０２２２】
なお、音声信号の入出力動作は、図７に示すイヤホンアンテナ２１と同様であるから説明を省略する。
【０２２３】
〔イヤホンアンテナの変形例２〕
イヤホンアンテナの他の変形例について図９に基づいて説明する。図９はイヤホンアンテナ４１の概略構成を示す図である。イヤホンアンテナ４１は、図７に示すイヤホンアンテナ２１のイヤホンケーブル２３Ｌ及びイヤホンケーブル２３Ｒを、それぞれ同軸イヤホンケーブル４２Ｌ及び同軸イヤホンケーブル４２Ｒに置き換えた構成である。
【０２２４】
すなわち、イヤホンアンテナ４１では、同軸イヤホンケーブル４２Ｌの外導体４２Ｌｂが図７に示すイヤホンアンテナ２１における第２音声ケーブル２７ＬＮの役割を果たし、同軸イヤホンケーブル４２Ｌの中心導体４２Ｌａが第２音声ケーブル２７ＬＰの役割を果たしている。同軸イヤホンケーブル４２Ｒについても同様である。
【０２２５】
したがって、イヤホンアンテナ４１でＶＨＦ帯の電波を受信した場合、図７に示すイヤホンアンテナ２１の場合と同様に、同軸ケーブル２６の中心導体２６ａに励振された高周波信号はｐｏｒｔ３に伝達され、ｐｏｒｔ３から同軸イヤホンケーブル４２Ｒの外導体４２Ｒｂ中をイヤホン２４Ｒのマイナス端子（−）に向かって流れる。また、同軸ケーブル２６の外導体２６ｂに励振された高周波信号は、第１音声ケーブル２５Ｌ及び第１音声ケーブル２５Ｒに伝達される。
【０２２６】
これにより、同軸イヤホンケーブル４２Ｒの外導体４２Ｒｂと、第１音声ケーブル２５Ｌ及び第１音声ケーブル２５Ｒとがスリーブアンテナとして動作する。
【０２２７】
また、イヤホンアンテナ４１でＵＨＦ帯の電波を受信した場合、図７に示すイヤホンアンテナ２１の場合と同様に、同軸ケーブル２６の中心導体２６ａに励振された高周波信号はｐｏｒｔ２及びｐｏｒｔ３に伝達され、同軸イヤホンケーブル４２Ｌの外導体４２Ｌｂ中をｐｏｒｔ２からイヤホン２４Ｌのマイナス端子（−）に向かって流れると共に、同軸イヤホンケーブル４２Ｒの外導体４２Ｒｂ中をｐｏｒｔ３からイヤホン２４Ｒのマイナス端子（−）に向かって流れる。
【０２２８】
これにより、同軸イヤホンケーブル４２Ｌの外導体４２Ｌｂと、同軸イヤホンケーブル４２Ｒの外導体４２Ｒｂとがダイポールアンテナとして動作する。
【０２２９】
ここで、イヤホンアンテナ４１では、イヤホンケーブルに同軸ケーブル２６を使用しているので、イヤホンケーブルを流れる高周波電流の電流密度が低下する。したがって、イヤホンアンテナ４１では、イヤホンケーブルにおける導体損失を軽減でき、これにより放射効率も改善される。
【０２３０】
したがって、図９に示すイヤホンアンテナ４１は、図７に示すイヤホンアンテナ２１と比べて、さらに受信感度が高くなる。
【０２３１】
また、図８に示すイヤホンアンテナ３１と同様に、同軸イヤホンケーブル４２の外導体と中心導体との間にコンデンサ２９を配置してもよい。これにより、イヤホンアンテナ４１の受信感度をさらに高めることができる。
【０２３２】
〔イヤホンアンテナの変形例３〕
イヤホンアンテナのさらに他の変形例について図１０に基づいて説明する。図１０はイヤホンアンテナ５１の概略構成を示す図である。イヤホンアンテナ５１は、図９に示すイヤホンアンテナ４１を差動音声信号に対応できるようにした構成である。
【０２３３】
図示のように、イヤホンアンテナ５１は、図９に示すイヤホンアンテナ４１の給電ケーブルが給電ケーブル５２に変わっている。そして、給電ケーブル５２への変更に伴い、同軸イヤホンケーブル４２Ｌ及び同軸イヤホンケーブル４２Ｒと、給電ケーブルとの接続態様が変わっている。
【０２３４】
給電ケーブル５２は、同軸ケーブル２６、第１音声ケーブル５３ＬＰ、第１音声ケーブル５３ＬＮ、第１音声ケーブル５３ＲＰ、及び第１音声ケーブル５３ＲＮで構成されている。
【０２３５】
図示のように、第１音声ケーブル５３ＬＰの一端は、音声入力のプラス端子Ｌ（Ｌ（＋））に接続している。また、第１音声ケーブル５３ＬＰの他端は、インダクタ５４ａを介して同軸イヤホンケーブル４２Ｌの中心導体４２Ｌａに接続していると共に、コンデンサ（第３コンデンサ）５５ａを介して第１音声ケーブルＬＮの端部に接続している。
【０２３６】
なお、インダクタ５４ａ〜インダクタ５４ｄ及びコンデンサ５５ａ〜コンデンサ５５ｄは、図７等に示すインダクタ２８及びコンデンサ２９と同じ特性を有している。すなわち、インダクタ５４ａ〜インダクタ５４ｄは、音声信号を通過させ、高周波信号を通過させない。また、コンデンサ５５ａ〜コンデンサ５５ｄは、高周波信号を通過させるが、音声信号を通過させないという特性を有する。
【０２３７】
第１音声ケーブル５３ＬＮの一端は、上記のように、コンデンサ５５ａを介して第１音声ケーブルＬＰの端部に接続している。また、同じ端部において、インダクタ５４ｂを介して同軸イヤホンケーブル４２Ｌの外導体４２Ｌｂに接続していると共に、コンデンサ５５ｂを介して同軸ケーブル２６の外導体２６ｂに接続している。そして、第１音声ケーブル５３ＬＮの他端は、音声入力のマイナス端子Ｌ（Ｌ（−））に接続している。
【０２３８】
同様に、第１音声ケーブル５３ＲＰの一端は、音声入力のプラス端子Ｒ（Ｒ（＋））に接続しており、第１音声ケーブル５３ＲＰの他端は、インダクタ５４ｄを介して同軸イヤホンケーブル４２Ｒの中心導体４２Ｒａに接続していると共に、コンデンサ（第４コンデンサ）５５ｄを介して第１音声ケーブル５３ＲＮの端部に接続している。
【０２３９】
また、第１音声ケーブル５３ＲＮの一端は、コンデンサ５５ｄを介して第１音声ケーブル５３ＲＰの端部に接続していると共に、インダクタ５４ｃを介して同軸イヤホンケーブル４２Ｒの外導体４２Ｒｂに接続していると共に、コンデンサ５５ｃを介して同軸ケーブル２６の外導体２６ｂに接続している。そして、第１音声ケーブル５３ＲＮの他端は、音声入力のマイナス端子Ｒ（Ｒ（−））に接続している。
【０２４０】
（音声信号の入出力動作）
以上の構成を有するイヤホンアンテナ５１における音声信号の入出力動作について説明する。ステレオ音声信号（＋）は、音声入力のプラス端子Ｌ（Ｌ（＋））、及び音声入力のプラス端子Ｒ（Ｒ（＋））に入力される。そして、音声入力のプラス端子Ｌ（Ｌ（＋））に入力されたステレオ音声信号（＋）は第１音声ケーブル５３ＬＰに伝達され、音声入力のプラス端子Ｒ（Ｒ（＋））に入力されたステレオ音声信号（＋）は第１音声ケーブル５３ＲＰに伝達される。
【０２４１】
ここで、第１音声ケーブル５３ＬＰの端部（音声入力のプラス端子Ｌ（Ｌ（＋））が接続されていない側の端部）には、インダクタ５４ａ及びコンデンサ５５ａが接続されているが、音声信号は、インダクタ５４ａを通過できるがコンデンサ５５ａを通過することはできない。
【０２４２】
したがって、第１音声ケーブル５３ＬＰに伝達されたステレオ音声信号（＋）はインダクタ５４ａ及び同軸イヤホンケーブル４２Ｌの中心導体４２Ｌａを介してイヤホン２４Ｌのプラス出力端子（＋）に供給され、イヤホン２４Ｌから音声出力される。
【０２４３】
同様に、第１音声ケーブル５３ＲＰに伝達されたステレオ音声信号（＋）はインダクタ５４ｄ及び同軸イヤホンケーブル４２Ｒの中心導体４２Ｒａを介してイヤホン２４Ｒのプラス出力端子（＋）に供給され、イヤホン２４Ｒから音声出力される。
【０２４４】
一方、ステレオ音声信号（−）は、音声入力のマイナス端子端子Ｌ（Ｌ（−））、及び音声入力のマイナス端子Ｒ（Ｒ(−)）に入力される。そして、音声入力のマイナス端子Ｒ（Ｒ(−)）に入力されたステレオ音声信号（−）は第１音声ケーブル５３ＬＮに伝達され、音声入力のマイナス端子Ｒ（Ｒ（−））に入力されたステレオ音声信号（−）は第１音声ケーブル５３ＲＮに伝達される。
【０２４５】
ここで、第１音声ケーブル５３ＬＮの端部（音声入力端子Ｌ（−）が接続されていない側の端部）には、インダクタ５４ｂ、コンデンサ５５ａ、及びコンデンサ５５ｂが接続されているが、音声信号は、インダクタ５４ａを通過できるがコンデンサ５５ａ及びコンデンサ５５ｂを通過することはできない。
【０２４６】
したがって、第１音声ケーブル５３ＬＮに伝達されたステレオ音声信号（−）はインダクタ５４ｂ及び同軸イヤホンケーブル４２Ｌの外導体４２Ｌｂを介してイヤホン２４Ｌの出力端子（−）に供給され、イヤホン２４Ｌから音声出力される。
【０２４７】
同様に、第１音声ケーブル５３ＲＮに伝達されたステレオ音声信号（−）はインダクタ５４ｃ及び同軸イヤホンケーブル４２Ｒの外導体４２Ｒｂを介してイヤホン２４Ｒの出力端子（−）に供給され、イヤホン２４Ｒから音声出力される。
【０２４８】
（ＶＨＦ帯の電波を受信する場合の動作例）
次に、ＶＨＦ帯の電波を受信する場合の動作例を説明する。イヤホンアンテナ５１でＶＨＦ帯の電波を受信した場合、高周波信号は、アンテナ入力端子（ＡＮＴ（＋））へと励振され、同軸ケーブル２６の中心導体２６ａを通過して不平衡‐平衡変換器２’のｐｏｒｔ３へと伝達される。ｐｏｒｔ３に伝達された高周波信号は、同軸イヤホンケーブル４２Ｒの外導体４２Ｒｂを通ってイヤホン２４Ｒのマイナス端子（−）へと伝達される。すなわち、アンテナ入力端子に励振された高周波信号の伝達形態は、図９に示すイヤホンアンテナ４１の場合と同じである。
【０２４９】
一方、アンテナグランド端子（ＡＮＴ（Ｇ））に励振された高周波信号は、コンデンサ５５ａ〜コンデンサ５５ｄを通過して、第１音声ケーブル５３ＬＰ、第１音声ケーブル５３ＬＮ、第１音声ケーブル５３ＲＰ、及び第１音声ケーブル５３ＲＮに伝達される。
【０２５０】
したがって、イヤホンアンテナ５１では、第１音声ケーブル５３ＬＰ、第１音声ケーブル５３ＬＮ、第１音声ケーブル５３ＲＰ、及び第１音声ケーブル５３ＲＮのそれぞれを流れる電流の向きと、同軸イヤホンケーブル４２Ｒの外導体４２Ｒｂを流れる電流の向きとが同じになる。
【０２５１】
その結果、同軸イヤホンケーブル４２Ｒの外導体４２Ｒｂと、第１音声ケーブル５３ＬＰ、第１音声ケーブル５３ＬＮ、第１音声ケーブル５３ＲＰ、及び第１音声ケーブル５３ＲＮとがスリーブアンテナとして動作する。
【０２５２】
ここで、イヤホンアンテナ５１と、図９に示すイヤホンアンテナ４１とを比較すると、第１音声ケーブル５３ＬＮ及び第１音声ケーブル５３ＲＮが追加された分だけ、イヤホンアンテナ５１の方が、スリーブアンテナとして動作するケーブルの数が多くなっている。
【０２５３】
すなわち、給電ケーブル内においてスリーブアンテナを形成するケーブル数が増えることになり、これにより同軸ケーブル２６に流れる不平衡電流をさらに抑制することができる。その結果、イヤホンアンテナ５１では、図９に示すイヤホンアンテナ４１と比べてＶＨＦ帯の受信感度がさらに高くなっている。
【０２５４】
なお、イヤホンアンテナ５１でＵＨＦ帯の電波を受信した場合の動作は、図９に示すイヤホンアンテナ４１の場合と同様であるから説明を省略する。
【０２５５】
（まとめ）
このように、図１０に示すイヤホンアンテナ５１では、差動音声信号に対応することが可能であり、差動音声信号で伝送される高品質な音声信号を音声出力することができる。また、イヤホンアンテナ５１では、同軸ケーブル２６に流れる不平衡電流を図９に示すイヤホンアンテナ４１よりもさらに抑制することができるので、ＶＨＦ帯においてさらに高感度なアンテナ性能を有する。
【０２５６】
〔実施の形態３〕
本実施形態では、本発明のイヤホンアンテナを携帯型端末に適用した例を図１１〜図１３に基づいて説明する。なお、上記実施形態で説明した構成と同様の機能を有する構成には同一の符号を付して、その説明を省略する。
【０２５７】
図１１は、携帯型端末（放送受信装置）６１の外観を示す図である。図示のように、携帯型端末６１にはイヤホンアンテナ（図７参照）が接続されている。また、携帯型端末６１には、ディスプレイ６２及びホイップアンテナ６３が設けられている。
【０２５８】
携帯型端末６１は、ＦＭ、ＶＨＦ、ＵＨＦ等の帯域の放送波を受信し、受信した電波に基づいて画像や動画、文字情報等を表示したり、音声を出力したりする装置である。
【０２５９】
ディスプレイ６２は、携帯型端末６１が受信した画像や動画、文字情報等を表示するものであり、具体的には、液晶表示パネル等で構成することができる。
【０２６０】
ホイップアンテナ６３は、主にＵＨＦ帯の電波を受信するためのものである。したがって、ホイップアンテナ６３の長さは、ＵＨＦ帯における主波長の略１／４波長（例えば、主波長が５００ＭＨｚの場合、略１５ｃｍ）とすることが好ましい。なお、ホイップアンテナ６３は、公知のものを用いればよく特に限定されない。
【０２６１】
すなわち、携帯型端末６１では、イヤホンアンテナとホイップアンテナ６３との２種類のアンテナを備えている。ホイップアンテナ６３は、ＵＨＦ帯の受信用であるから、携帯型端末６１でＶＨＦ帯の放送を受信する場合には、イヤホンケーブル２３Ｒ中の第２音声ケーブル２７ＲＮと、給電ケーブル中の第１音声ケーブル２５Ｌ及び第１音声ケーブル２５Ｒとで形成されるスリーブアンテナで受信を行う。
【０２６２】
一方、ＵＨＦ帯の放送を受信する場合には、ホイップアンテナ６３で受信しても良いし、イヤホンケーブル２３Ｒ中の第２音声ケーブル２７ＬＮと、イヤホンケーブル２３Ｌ中の第２音声ケーブル２７ＲＮとで形成されるダイポールアンテナで受信しても良い。また、ホイップアンテナ６３とダイポールアンテナとで受信感度が良い方に適宜切り替えるダイバーシティ受信を行っても良い。
【０２６３】
なお、携帯型端末６１に接続されているイヤホンアンテナは、図７に示すイヤホンアンテナ２１であるが、図８〜図１０に示すイヤホンアンテナを用いても良い。
【０２６４】
（シャドウイングについて）
イヤホンアンテナを携帯型端末６１に適用して使用する場合、シャドウイングを軽減できるという更なる効果を奏する。これについて、図１２に基づいて説明する。図１２は、イヤホンアンテナを接続した携帯型端末６１を用いてＵＨＦ帯の放送波（到来波）を受信する様子を示している。
【０２６５】
携帯型端末６１は持ち運びができることから、移動しながら放送波を受信して放送を視聴するケースが多い。したがって、図示のように、ユーザの背後から放送波が到来する状態となることがある。このような場合、放送波は、ユーザによって遮られてホイップアンテナ６３に到達し難い状態となる（シャドウイング）。
【０２６６】
ここで、携帯型端末６１にはイヤホンアンテナが接続されているので、ＵＨＦ帯の放送波を受信するときには、イヤホンケーブル２３Ｒ中の第２音声ケーブル２７ＲＮとイヤホンケーブル２３Ｌ中の第２音声ケーブル２７ＬＮとがダイポールアンテナとして動作する。
【０２６７】
イヤホンケーブル２３Ｒ及びイヤホンケーブル２３Ｌは、図示のように、ユーザの首の後ろ側に位置しているので、ユーザの背後からの放送波をこのダイポールアンテナで受信することができる。
【０２６８】
すなわち、イヤホンアンテナを携帯型端末６１に接続して使用する場合、シャドウイングによって、放送波を受信できなくなることを防ぐことができる。
【０２６９】
また、地上デジタル放送等のＵＨＦ帯の放送波は、水平偏波である。したがって、図示のように、装着時に地面に対して水平な方向に位置するイヤホンケーブル２３Ｒとイヤホンケーブル２３Ｌとで効率よく受信できる。
【０２７０】
これに対し、例えば図１４に示すような従来のイヤホンアンテナ１０１を携帯型端末６１に接続してＵＨＦ帯の放送波を受信しようとした場合、イヤホンケーブル２３Ｌ中の第２音声ケーブル２７ＬＮ及びイヤホンケーブル２３Ｒ中の第２音声ケーブル２７ＲＮと、給電ケーブル中の第１音声ケーブル２５Ｌ及び第１音声ケーブル２５Ｒとで形成されるスリーブアンテナで受信することになる。
【０２７１】
このスリーブアンテナでは、給電ケーブル中の第１音声ケーブル２５Ｌ及び第１音声ケーブル２５Ｒからの放射が支配的となるので、給電ケーブルが放送波を受信できる位置にあることが望ましい。しかしながら、図示のように、給電ケーブルは、ユーザの正面に位置するので、放送波がユーザの背後から到来する場合、放送波はユーザによって遮られる。このため、放送波は、給電ケーブルに到達し難い状態となる。
【０２７２】
また、従来のイヤホンアンテナでは、上述のように、イヤホンケーブル２３Ｒ、イヤホンケーブル２３Ｌ、及び給電ケーブルの長さは、ＶＨＦ帯の電波の受信に好適な長さとなっている。したがって、ＵＨＦ帯の電波の受信には、高次共振を利用することになるためアンテナの感度が低い。
【０２７３】
さらに、イヤホンケーブル２３Ｒ、イヤホンケーブル２３Ｌ、及び給電ケーブルで形成されるスリーブアンテナは、図示のように、地面に対して垂直方向に形成される。ゆえに、イヤホンアンテナは、垂直偏波に対して感度が高いが、水平偏波である地上デジタル放送等のＵＨＦ帯の受信感度は低い。
【０２７４】
すなわち、従来のイヤホンアンテナは、ＵＨＦ帯の受信に適していない。例えば、図１４に示すイヤホンアンテナ１０１と、従来の一般的なホイップアンテナ６３とのＵＨＦ帯での受信感度の差は、５ｄＢ以上ある。
【０２７５】
このように、従来は、イヤホンアンテナとホイップアンテナ６３との受信感度の差が著しく大きかったため、イヤホンアンテナを用いて携帯型端末６１で地上デジタル放送等を視聴する場合には、主にホイップアンテナ６３で受信を行っていた。
【０２７６】
したがって、従来のイヤホンアンテナを用いて携帯型端末６１でＵＨＦ帯の放送波を受信する場合に、ユーザの背後から放送波が到来するときには、ユーザによってホイップアンテナ６３が放送波から遮られるため、受信感度が著しく低下してしまう。
【０２７７】
（ハイトゲインについて）
また、本発明のイヤホンアンテナが、従来のイヤホンアンテナと比べて有利な点として、本発明のイヤホンアンテナは、従来のイヤホンアンテナよりも大きいハイトゲインが得られる点が挙げられる。
【０２７８】
これについて、図１３に基づいて説明する。図１３は、地面からの高さと受信感度との関係を示す図である。なお、受信感度と地面からの高さとの関係は、郊外、中近郊、都市でそれぞれ異なる。図１３では、実線が郊外、破線が中近郊、一点鎖線が都市における地面からの高さと受信感度との関係を示している。
【０２７９】
図示のように、郊外、中近郊、都市のいずれにおいても、地面からの高さが高いほど受信感度が高くなっている。つまり、地面からより高い位置のアンテナで受信することにより、受信感度は向上する（ハイトゲイン）。
【０２８０】
また、図示のように、郊外に比べて、高層建築物等の多い中近郊や都市において、受信感度は低くなっている。したがって、特に中近郊や都市において高い受信感度を得るためには、より高い位置のアンテナで受信することが必要となる。
【０２８１】
例えば、図示のように、中近郊において、地面から略１．５ｍの位置（平均的な成人男性の頭部付近の高さ）のアンテナで受信する場合、地面から略１ｍの位置（平均的な成人男性の腰付近の高さ）のアンテナで受信する場合と比べて、５ｄＢも受信感度が高くなる。
【０２８２】
ここで、図１２に示すように、本発明のイヤホンアンテナでは、ユーザの頭部付近に位置するイヤホンケーブル２３Ｌ中の第２音声ケーブル２７ＬＮ及びイヤホンケーブル２３Ｒ中の第２音声ケーブル２７ＲＮによって形成されるダイポールアンテナにて受信を行うことができる。
【０２８３】
これに対し、従来のイヤホンアンテナを用いた場合、ユーザの胴体〜腰付近に位置する給電ケーブル中の第１音声ケーブル２５Ｌ及び第１音声ケーブル２５Ｒを主放射源とするスリーブアンテナで受信を行うことになる。
【０２８４】
すなわち、本発明のイヤホンアンテナを用いる場合、従来のイヤホンアンテナを用いる場合と比べて、より高い位置で受信を行うことができる。その結果、従来のイヤホンアンテナより大きいハイトゲインを得ることができる。
【０２８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２８６】
本発明のアンテナによれば、幅広い周波数帯域の電波を感度良く送受信することができるので、放送波等の送受信に用いるアンテナとして広く利用できる。また、本発明のアンテナを例えばイヤホンアンテナとして用いることによって、携帯型のＴＶ受像機等で放送波を高感度に受信することができる。
【図面の簡単な説明】
【０２８７】
【図１】本発明の実施形態を示すものであり、アンテナの概略構成を示す図である。
【図２】上記アンテナにおける不平衡‐平衡変換器の一例を示す図であり、同図（ａ）は不平衡‐平衡変換器の回路構成の概略を示す図であり、同図（ｂ）は上記不平衡‐平衡変換器の通過特性を示すグラフであり、同図（ｃ）は上記不平衡‐平衡変換器の出力端子ｐｏｒｔ２及びｐｏｒｔ３における出力信号間の位相差を示すグラフである。
【図３】上記不平衡‐平衡変換器を用いた場合の、アンテナの最大利得の周波数特性を示すグラフである。
【図４】上記アンテナにおける不平衡‐平衡変換器の別の例を示す図であり、同図（ａ）は不平衡‐平衡変換器の概略を示す図であり、同図（ｂ）は上記不平衡‐平衡変換器の通過特性を示すグラフであり、同図（ｃ）は上記不平衡‐平衡変換器の出力端子ｐｏｒｔ２及びｐｏｒｔ３における出力信号間の位相差を示すグラフである。
【図５】上記不平衡‐平衡変換器における信号の流れを示す図であり、同図（ａ）はＵＨＦ帯の信号の流れを示す図であり、同図（ｂ）はＶＨＦ帯の信号の流れを示す図である。
【図６】上記不平衡‐平衡変換器を用いた場合の、アンテナの最大利得の周波数特性を示すグラフである。
【図７】本発明の実施形態を示すものであり、イヤホンアンテナの概略構成を示す図である。
【図８】本発明の実施形態を示すものであり、上記イヤホンアンテナの変形例を示す図である。
【図９】本発明の実施形態を示すものであり、上記イヤホンアンテナの他の変形例を示す図である。
【図１０】本発明の実施形態を示すものであり、上記イヤホンアンテナのさらに他の変形例を示す図である。
【図１１】本発明の実施形態を示すものであり、携帯型端末の外観を示す図である。
【図１２】上記イヤホンアンテナを接続した携帯型端末を用いてＵＨＦ帯の放送波（到来波）を受信する様子を示す図である。
【図１３】地面からの高さと受信感度との関係を示す図である。
【図１４】従来のイヤホンアンテナの概略構成を示す図である。
【符号の説明】
【０２８８】
１    アンテナ
２    不平衡‐平衡変換器
３    アンテナエレメント（第１及び第２アンテナエレメント）
４    同軸ケーブル（不平衡型の給電線路）
５    スリーブエレメント
１１    ハイパス回路（第１フィルタ回路）
１２    ローパス回路（第２フィルタ回路）
２１    イヤホンアンテナ
２２    給電ケーブル
２３    イヤホンケーブル（第１及び第２イヤホンケーブル）
２４    イヤホン（第１及び第２イヤホン）
２５    第１音声ケーブル
２６    同軸ケーブル
２７    第２音声ケーブル
２８    インダクタ
２９    コンデンサ（第１及び第２コンデンサ）
３１    イヤホンアンテナ
４１    イヤホンアンテナ
４２    同軸イヤホンケーブル
５１    イヤホンアンテナ
５２    給電ケーブル
５３    第１音声ケーブル
５４    インダクタ
５５    コンデンサ（第３及び第４コンデンサ）
６１    携帯型端末（放送受信装置）
【図１】
2008199323.tif 000003
【図２】
2008199323.tif 000004
【図３】
2008199323.tif 000005
【図４】
2008199323.tif 000006
【図５】
2008199323.tif 000007
【図６】
2008199323.tif 000008
【図７】
2008199323.tif 000009
【図８】
2008199323.tif 000010
【図９】
2008199323.tif 000011
【図１０】
2008199323.tif 000012
【図１１】
2008199323.tif 000013
【図１２】
2008199323.tif 000014
【図１３】
2008199323.tif 000015
【図１４】
2008199323.tif 000016